(57)【要約】  本発明はミュージックカラーを開示し、ミュージックカラーは首装置の周りに装着するように構成され、ミュージックカラーは、後方左側振動パッドおよび後方右側振動パッドを含み、ミュージックカラーを着用した人の首の後部の軟組織と直接的または間接的に接触するように構成されるメインフレームを含み、振動パッドが入力電気信号を振動に変え、その振動をミュージックカラーを着用した人の軟組織に伝達する。本発明はさらに、好ましくはミュージックカラー用の、より好ましくは振動パッド用の接触プレートを開示し、接触プレートは、接触プレートを振動パッドに取り付けるように構成される第１の面と、振動パッドと人体との間で接触を促進するように構成される第２の凸状面および／または第２の凹状面のうち少なくとも１つと、少なくとも１つの孔と、を含む。さらに、本発明はシステムを開示し、本システムは、ミュージックカラーを着用した人の首の後部を接触させる少なくとも２つの後方振動パッドと、ミュージックカラーの振動パッドに取り付けられる少なくとも１つの接触プレートと、を備えるミュージックカラーを含み、接触プレートが、振動パッドと、ミュージックカラーを着用した人体との間で接触を促進するように構成される。
2020537378.tif 000002
【特許請求の範囲】
【請求項１】
ミュージックカラーであって、前記ミュージックカラーが首装置の周りの着用物として構成され、前記ミュージックカラーは、
少なくとも後方左側振動パッドおよび後方右側振動パッドを含み、前記ミュージックカラーを着用した人の首の後部の軟組織と直接的または間接的に接触するように構成される、メインフレームを有し、
前記後方左側振動パッド及び前記後方右側振動パッドが入力電気信号を振動に変え、前記振動を前記ミュージックカラーを着用した人の前記軟組織に伝達するように構成される
ミュージックカラー。
【請求項２】
前記後方左側振動パッドが、前記ミュージックカラーを着用した人の僧帽筋の上部線維の左側部分を含む前記軟組織と接触するように構成される、請求項１に記載のミュージックカラー。
【請求項３】
前記後方右側振動パッドが、前記ミュージックカラーを着用した人の僧帽筋の上部線維の右側部分を含む前記軟組織と接触するように構成される、請求項１または２に記載のミュージックカラー。
【請求項４】
前記メインフレームの左側で前記メインフレームと接続される左側振動部をさらに含み、前記左側振動部が、胸部の左側部分の前記軟組織、好ましくは大胸筋の左側部分を含む左側鎖骨の下方の軟組織、より好ましくは前記ミュージックカラーを着用した人の左側大胸筋の鎖骨部と直接的または間接的に接触するように構成される前方左側振動パッドを含む、請求項１から３のいずれか一項に記載のミュージックカラー。
【請求項５】
前記メインフレームの右側で前記メインフレームと接続される右側振動部をさらに含み、前記右側振動部が、胸部の右側部分の前記軟組織、好ましくは大胸筋の右側部分を含む右側鎖骨の下方の前記軟組織、より好ましくは前記ミュージックカラーを着用した人の右側大胸筋の鎖骨部と直接的または間接的に接触するように構成される前方右側振動パッドを含む、請求項１から４のいずれか一項に記載のミュージックカラー。
【請求項６】
前記メインフレームが、前記ミュージックカラーを前記首の周りに着用しやすくするように、好ましくは少なくとも１２０°、好ましくは少なくとも１８０°および最大でも２４０°の角度で前記ミュージックカラーを着用する前記人の首を包囲するように構成された半円形状などの湾曲形状を含む、請求項１から５のいずれか一項に記載のミュージックカラー。
【請求項７】
好ましくは前記ミュージックカラーを着用した人の鎖骨をまたぐことによって前記ミュージックカラーが前記鎖骨との接触を回避するように構成される、請求項１から６のいずれか一項に記載のミュージックカラー。
【請求項８】
請求項４および５の機能を備え、前記左側振動部および前記右側振動部がそれぞれ細長部および装着部を含み、前記装着部が振動パッドを前記装着部に装着するように構成される、請求項１から７のいずれか一項に記載のミュージックカラー。
【請求項９】
前記装着部が前記ミュージックカラーを着用した前記人の胸部に位置することができ、細長部が鎖骨と接触せずに前記鎖骨をまたぐことができるように前記装着部が細長部より厚い、請求項８に記載のミュージックカラー。
【請求項１０】
請求項８の機能を備え、前記細長部が好ましくは２００ｍｍから８００ｍｍの範囲の曲率半径の湾曲形状を含む、請求項１から９のいずれか一項に記載のミュージックカラー。
【請求項１１】
第１の要素と第２の要素間の距離および角度の少なくとも１つを調節できるように前記第１の要素を前記第２の要素と接続するように構成される形状調節要素をさらに含む、請求項１から１０のいずれか一項に記載のミュージックカラー。
【請求項１２】
前記メインフレームが、前記形状調節要素によって接続される左側部分および右側部分を含む、請求項１１に記載のミュージックカラー。
【請求項１３】
前記形状調節要素は、前記形状調節要素および前記メインフレームの左側部分を利用して前記ミュージックカラーの形状を調節することによって前記メインフレームの右側部分が対称的に調節され、逆の場合も同様に、前記形状調節要素および前記メインフレームの右側部分を利用して前記ミュージックカラーの形状を調節することによって前記メインフレームの左側部分が対称的に調節されるように構成される、請求項１１または１２に記載のミュージックカラー。
【請求項１４】
前記メインフレームが、可撓性材料を含む可撓性延長部によって接合される左側部分および右側部分を備える、請求項１から１３のいずれか一項に記載のミュージックカラー。
【請求項１５】
前記可撓性延長部は、前記ミュージックカラーを着用したユーザの頭部に向かう上部に円弧状を含み、前記ミュージックカラーを着用した前記人の頭部との接触を回避または少なくとも低減するように構成される、請求項１４に記載のミュージックカラー。
【請求項１６】
第１の要素と第２の要素間の距離を調節できるように前記第１の要素を前記第２の要素と接合するように構成される摺動機構をさらに含む、請求項１から１５のいずれか一項に記載のミュージックカラー。
【請求項１７】
請求項４および５の機能を備え、前記メインフレームおよび前記左側振動部が前記摺動機構によって接続され、前記メインフレームおよび右側振動部が別の摺動機構によって接続される、請求項１６に記載のミュージックカラー。
【請求項１８】
前記後方左側振動パッド及び前記後方右側振動パッドに供給される電気信号の振幅または周波数の少なくとも１つを調節するように構成される増幅器モジュールをさらに含む、請求項１から１７のいずれか一項に記載のミュージックカラー。
【請求項１９】
前記後方左側振動パッド及び前記後方右側振動パッドに供給される前記電気信号が重低音、低音または２５０Ｈｚ未満の周波数を備える信号などの低周波数信号を含むように、前記増幅器モジュールが閾値を上回る周波数、好ましくは２５０Ｈｚを上回る周波数を遮断するように構成される、請求項１８に記載のミュージックカラー。
【請求項２０】
前記後方左側振動パッド及び前記後方右側振動パッドが作り出す振動の強度を制御するように構成される音量制御器をさらに含む、請求項１から１９のいずれか一項に記載のミュージックカラー。
【請求項２１】
前記ミュージックカラーと、ヘッドホン、携帯電話またはデジタルオーディオプレーヤーなどの外部装置との間で有線接続を促進するように構成される有線コネクタをさらに含む、請求項１から２０のいずれか一項に記載のミュージックカラー。
【請求項２２】
前記ミュージックカラーと、ヘッドホン、携帯電話またはデジタルオーディオプレーヤーなどの外部装置との間でＢｌｕｅｔｏｏｔｈ（登録商標）接続などの無線接続を促進するように構成される無線コネクタをさらに含む、請求項１から２１のいずれか一項に記載のミュージックカラー。
【請求項２３】
請求項２０の機能を備え、前記音量制御器は、外部装置内の音声の音量に影響を与えることなく前記後方左側振動パッド及び前記後方右側振動パッド上の前記振動の強度を調節するように構成される、請求項２０から２２のいずれか一項に記載のミュージックカラー。
【請求項２４】
少なくとも２つの振動パッドを独立制御することによって多方向視点の振動を作り出す、請求項１から２３のいずれか一項に記載のミュージックカラー。
【請求項２５】
システムであって、
ミュージックカラーを着用した人の首の後部を接触させる少なくとも２つの後方振動パッドを有する、請求項１から２４のいずれか一項に記載のミュージックカラーと、
前記ミュージックカラーの前記振動パッドに取り付けられる接触プレートのうち少なくとも１つと、を備え、
接触プレートが、前記振動パッドと、前記ミュージックカラーを着用した前記人の体との間に接触を促進するように構成される
システム。
【請求項２６】
前記後方振動パッドに取り付けられる前記接触プレートが第２の凹状面を含む、請求項２５に記載のシステム。
【請求項２７】
前記ミュージックカラーが請求項４および５の機能を含み、前方振動パッドに取り付けられる前記接触プレートが第２の凸状面を含む、請求項２５または２６に記載のシステム。
【発明の詳細な説明】
【技術分野】
【０００１】
本発明は、電気信号を振動に変換し、ユーザがこうした振動を知覚できる装置およびシステムに関する。
【背景技術】
【０００２】
音楽は、ますます多くの人々の日常生活の一部になっている。スピーカーおよびヘッドホンなどの装置が徐々に開発され、１人１人が音楽またはその他の可聴音を聞くことができるようになった。こうした開発により、スピーカーおよびヘッドホンなどの装置が作り出す音質が向上し、その結果より望ましいユーザエクスペリエンスおよびさらなる楽しみがもたらされた。さらに、ユーザエクスペリエンスを向上させるその他の種類の製品が開発される。そうした装置のカテゴリーの一例は、可聴音の電気信号を振動に変換し、その振動を人体に伝達する装置である。こうした装置のほとんどは、聴覚障害のある人々のための補聴器として利用される。
【０００３】
ＵＳ４６０６３２９Ａは、埋め込み型中耳骨伝導電磁補聴器装置を記載する。この補聴器装置は、音をアナログ電磁信号に変換する音声処理コンポーネントを利用し、電磁信号を経皮的に伝達するためにユーザの頭骨に経皮的に配置されるように適合された出力トランスミッターを有する。信号送受信コンポーネントから皮下の電磁信号を受信し、その電磁信号に応答して耳小骨連鎖を振動させて内耳の正常機能を刺激するために中耳内の耳小骨連鎖のあらゆる小骨の中に振動生成コンポーネントを埋め込む。結果、聴覚障害のあるユーザに音の知覚が作り出される。
【０００４】
ＵＳ５６８７２４４Ａは、骨伝導スピーカーおよび装着システムを記載する。この明細書を簡単に要約すると、骨伝導スピーカーまたは変換器を人体、好ましくは胸骨、に装着する。音声信号を振動に変換する骨伝導スピーカーまたは変換器に音声信号が供給される。骨伝導スピーカーまたは変換器は振動を人の胸郭に伝達し、次いでその振動が、入力された音声信号と同時に動作して共鳴する。
【０００５】
この先行技術の骨伝導機構は場合によっては申し分ないが、ある欠陥および限界を有する可能性がある。骨伝導機構後の主要原理は振動を骨に伝達することである。ただし、かなりの長期間この装置を利用すると、特に振動によって伝達される骨に痛みまたは不快感を生じさせる可能性がある。さらに、この先行技術のいくつかの装置は、埋め込み型のパーツを含む。
【発明の概要】
【０００６】
第１の実施形態では、本発明はミュージックカラーを開示し、ミュージックカラーは首装置の周りに着用するように構成される。ミュージックカラーはメインフレームを含む。メインフレームは、後方左側振動パッドおよび後方右側振動パッドを含む。後方左側振動パッドおよび後方右側振動パッドは、ミュージックカラーを着用した人の首の後部の軟組織と直接的または間接的に接触するように構成される。
【０００７】
すなわち、ミュージックカラーは、メインフレーム内に位置する少なくとも２つの振動パッド、メインフレームの左側部分に１つ、メインフレームの右側部分にもう１つを含み得る。メインフレームはミュージックカラーの後方部分に位置するため、ミュージックカラー上の位置に基づく振動パッドは、後方左側振動パッド（すなわち、メインフレームの左側部分に位置する振動パッド）および後方右側振動パッド（すなわち、メインフレームの右側部分に位置する振動パッド）と呼ばれる。ミュージックカラーは、人が着用するとき、後方左側振動パッドが人の首の後部の左側部分と直接的または間接的に接触することができるように、および後方右側振動パッドが人の首の後部の右側部分と直接的または間接的に接触することができるように構成される。すなわち、振動パッドが首の皮膚などの軟組織と直接接触する場合、次いで首と振動パッドとの間に直接接触が確立される。ただし、振動パッドと首の皮膚などの軟組織との間に衣類など別の媒体が存在する場合、次いで振動パッドと人の首との間に間接接触が確立される。後方振動パッドにより、ミュージックカラーを着用した人がミュージックカラーによって作り出される振動を首の後部の軟組織を通じて知覚できるという点で、後方振動パッドは有益になり得る。
【０００８】
ミュージックカラーが備える振動パッドは、入力電気信号を振動に変え、その振動をミュージックカラーを着用した人の軟組織に伝達する。すなわち、電気信号は振動パッドへの入力として供給することができる。振動パッドは、入力電気信号が備えるエネルギー（またはそのエネルギーの一部）を振動パッドのある部分の運動エネルギーに変えるように構成される（すなわち、振動パッドのある部分は入力電気信号の影響を受けて振動することができる）。さらに、振動パッドが作り出す振動は、入力電気信号の一定パターンに追従し得る。すなわち、電気信号は少なくとも１つの周波数成分を含み得て、振動パッドは入力電気信号の少なくとも１つの周波数成分に従って振動を作り出すことができる。例えば、電気信号が一定周波数の単一音信号である場合、次いで振動パッドはその信号周波数に従って振動を作り出すことができる。信号周波数がゼロである（すなわち、直流が振動パッドに供給される）場合、次いで振動パッドは、あらゆる振動を作り出さないであろう（すなわち、振動周波数はゼロであり、振動なしを意味することになろう）。ただし、振動パッドに供給される電気信号が、つまり多くの周波数を含む複合信号である場合、次いで振動パッドは電気信号の周波数成分に従って振動を作り出すことになろう。電気信号によりミュージックカラーは音声信号、音楽信号、オーディオ信号、音信号のうち少なくとも１つに従って振動を作り出すことが可能になるという点で有益になり得る。
【０００９】
したがって、振動パッドは電気信号を、振動パッドのある部分の振動に変えることができる。振動パッドが人体と接触する場合、人は触覚でそのような振動を感じ取ることができる。さらに、電気信号は音声データを含み得る。つまり、音楽などの音声データを電気信号に変えた結果として振動パッドに供給される電気信号を作り出すことができる。簡単に言えば、電気信号は、音声データ（またはあらゆる可聴音のデータ）によってもたらされる音の合成を含む。例えば、ミュージックカラーおよび特に振動パッドは、可聴音によってもたらされる音に従って人の触覚で振動を感じさせることができる。これにより、音楽のある音を体で感じることができるため、音楽を聞いている間著しく楽しみが増す可能性がある。さらに、ミュージックカラーは、振動が人体の軟組織に伝達されるため、人の触覚で音楽（または少なくとも音楽のある音）を感じ取ることができる聴覚障害のある人々にとって特に有益になる。
【００１０】
いくつかの実施形態では、ミュージックカラーはメインフレームの左側でメインフレームと接続される左側振動部を含み得る。左側振動部は、前方左側振動パッドと呼ぶこともできる振動パッドを含む。前方左側振動パッドは、ミュージックカラーを着用した人の胸部の左側部分の軟組織と直接的または間接的に接触するように構成することができる。この前方左側振動パッドは有益になり得る。なぜならこの前方左側振動パッドにより、ミュージックカラーを着用した人は胸部で、より具体的には胸部の左側部分の軟組織を通じて振動を感じ取ることができるからである。
【００１１】
いくつかの実施形態では、ミュージックカラーはメインフレームの右側でメインフレームと接続される右側振動部を含み得る。右側振動部は、前方右側振動パッドと呼ぶこともできる振動パッドを含む。前方右側振動パッドは、ミュージックカラーを着用した人の胸部の右側部分の軟組織と直接的または間接的に接触するように構成することができる。この前方右側振動パッドは有益になり得る。なぜならこの前方右側振動パッドにより、ミュージックカラーを着用した人は胸部で、より具体的には胸部の右側部分の軟組織を通じて振動を感じ取ることができるからである。
【００１２】
すなわち、ミュージックカラーは左側振動部および／または右側振動部を含み得る。左側振動部および右側振動部により、ミュージックカラーは２つ以上の振動パッドを備えることが可能になるという点で有益になり得る。さらに、振動部は、振動パッドをミュージックカラーに装着しやすくし得る。好ましくはミュージックカラーの前方に、左側および右側のそれぞれに振動部を配置することができる。したがって、振動部により、振動パッドはミュージックカラーを着用した人の胸部との接触を作り出すことができる。さらに、このような配置により、ミュージックカラーを首周りに巻き付け、胸部に向かって前方部に延在することが可能となる。さらに、振動部に装着される前方振動パッドなど、追加の振動パッドは、振動感覚を高めることができ、さらに振動を人体の様々な部位に分布するのにも貢献し得る。追加の振動パッドはさらに、独立制御した場合、方向性のある振動感覚を作り出しやすくし得る。
【００１３】
いくつかの実施形態では、ミュージックカラーは、後方左側振動パッドがミュージックカラーを着用した人の僧帽筋の上部線維の左側部分を含む軟組織と接触するように構成することができる。いくつかの実施形態では、ミュージックカラーは、後方右側振動パッドがミュージックカラーを着用した人の僧帽筋の上部線維の右側部分を含む軟組織と接触するように構成することができる。いくつかの実施形態では、ミュージックカラーは、前方左側振動パッドが大胸筋の左側部分を含む左側鎖骨の下方の軟組織、好ましくは左側大胸筋の鎖骨部と接触できるように構成することができる。つまり、前方左側振動パッドは、胸部の左側部分の内側部（すなわち、胸骨により近い部分）の軟組織と接触できるのが好ましい。いくつかの実施形態では、ミュージックカラーは、前方右側振動パッドが大胸筋の右側部分を含む右側鎖骨の下方の軟組織、好ましくは右側大胸筋の鎖骨部と接触できるように構成することができる。つまり、前方右側振動パッドは、胸部の右側部分の内側部（すなわち、胸骨により近い部分）の軟組織と接触できるのが好ましい。このようにミュージックカラー、より具体的にはミュージックカラーの振動パッドをミュージックカラーを着用した人の体に位置決めすることは、人体の軟組織を通る振動感覚を高めるという点で有益になり得る。
【００１４】
すなわち、第１の実施形態では、少なくとも２つの振動パッドを含み得て、より具体的には後方左側振動パッドおよび後方右側振動パッドを少なくとも含むミュージックカラーが記載される。さらに、いくつかの実施形態では、ミュージックカラーは、前に示した実施形態で説明したとおりに位置決めされる後方左側振動パッド、後方右側振動パッド、前方左側振動パッド、および前方右側振動パッドなど、振動パッドを４つまで備えることができる。すなわち、後方左側振動パッドが僧帽筋の上部線維の左側部分を含む軟組織と接触することができ、後方右側振動パッドが僧帽筋の上部線維の右側部分を含む軟組織と接触することができ、前方左側振動パッドが大胸筋の左側部分を含む軟組織、より好ましくは左側大胸筋の鎖骨部と接触することができ、および前方右側振動パッドが大胸筋の右側部分を含む軟組織、より好ましくは右側大胸筋の鎖骨部と接触することができる。好ましい一実施形態である人体と接触する上記の特定の接触箇所（好ましい接触点、または接触点とも呼ばれる）は、ミュージックカラーの振動パッドが作り出す振動によってミュージックカラーのユーザが得られる感覚および楽しみを最大限にするという理由で有益になり得る。同時に、人体と接触する当該特定の接触点は、ユーザが振動から得られる痛みなどの不快感を減らすという目的で有益になり得る。
【００１５】
特定の実験において、人体と接触する上記の接触点が、振動パッドによって作り出された振動からユーザが得る感覚および楽しみを最大限にするのと同時に不快感も最小にする、ということが分かった。当該実験では、９人の参加者にミュージックカラーの様々な実施形態を試してもらい、各実施形態は人体の様々な部位に接触するように構成されたものである。次いで、各実験に関し、参加者は１から６の範囲の等級で各実験の体験を評価するよう求められ、１は最高体験（すなわち、振動感覚が最高であり、振動からの快楽が最高であり、不快感は全くない）を示し、６は最低の体験（すなわち、振動感覚が最低であり、振動からの快楽が最低であり、最も不快感がある）を示す。さらに表１（図１０で図示）の凡例で示されるように、中間のあらゆる等級は１から６の両極端間の様々なレベルを示す。
【００１６】
実験中、ミュージックカラーは、人体の様々な部位と接触できるように構成される。以下の実験が行われた。
［実験１］
ミュージックカラーの振動パッドを首の前方部の左側と右側の両側（すなわち、首の前方左側および前方右側）と接触させた。
［実験２］
ミュージックカラーの振動パッドを首の左側および右側と接触させた。
［実験３］
ミュージックカラーの振動パッドを首の後部の左側と右側の両側（すなわち、首の後方左側および後方右側）と接触させた。
［実験４］
ミュージックカラーの振動パッドを胸部の右側および左側の内側部（すなわち、胸骨により近い胸部部分）と接触させた。
［実験５］
ミュージックカラーの振動パッドを胸部の右側および左側の外側部分（すなわち、胸骨から離れた胸部部分）と接触させた。
［実験６］
ミュージックカラーの振動パッドを環椎、より具体的には環椎の中央と間接接触させた。
［実験７］
ミュージックカラーの振動パッドを頸椎と間接接触させた。
［実験８］
ミュージックカラーの振動パッドを鎖骨（すなわち鎖骨）と間接接触させた。
［実験９］
ミュージックカラーの振動パッドを頭骨、耳の後部の頭骨の左側部分および右側部分と間接接触させた。
【００１７】
各実験の結果を表１（図１０参照）で示す。なお、各ユーザには２度の評価（等級）を示すことが求められ、評価（等級）は実験が始まった直後（振動パッドを人体と接触させた瞬間、ならびに振動パッドの電源を入れたとき）の感覚と、実験開始から数分後の感覚と、に対応する。
【００１８】
表１で示される（図１０で示される）結果から、概して最高体験の結果が得られたのは振動パッドを首の後方後部部分および後方右側部分と接触させたとき（すなわち実験３）であることが観察できる。２番目に良い最高体験の結果は実験４、すなわち振動パッドを胸部の内側部と接触させたときに対応する。
【００１９】
したがって、この実験結果に従うと、好ましい実施形態では、ミュージックカラーは、２つの振動パッド、すなわち僧帽筋の上部線維の右側部分を含む首の後部（すなわち首の後部の左側）の軟組織との接触を作り出すことができる後方左側振動パッドと、僧帽筋の上部線維の右側部分を含む首の後部（すなわち首の右側部分の右側）の軟組織との接触を作り出すことができる後方右側振動パッドと、を備えることができる。さらに、この実験結果に従うと、別の好ましい実施形態では、ミュージックカラーは、２つの追加の振動パッド、すなわち大胸筋の左側部分、好ましくは左側大胸筋の鎖骨部（すなわち左側胸部の内側部分）を含む軟組織と接触できる前方左側振動パッドと、大胸筋の右側部分、好ましくは右側大胸筋の鎖骨部（すなわち右側胸部の内側部分）を含む軟組織と接触できる前方右側振動パッドと、を備えることができる。
【００２０】
いくつかの実施形態では、メインフレームは、ミュージックカラーを首周りに着用しやすくするように構成された半円形状などの湾曲形状を含む。ミュージックカラーは、少なくとも１２０°、好ましくは少なくとも１８０°および最大でも２４０°の角度でミュージックカラーを着用した人の首を包囲するように構成することができる。こうすることで、ミュージックカラーが人に接触し続けることが可能となり得るという点で有益になり得る。さらに、こうすることで、ミュージックカラーの後方振動パッドが人の首の後部の軟組織と接触し続けることが可能となり得る。さらに、こうすることで、ミュージックカラーの前方振動パッドがミュージックカラーを着用した人の胸部の軟組織と接触し続けることが可能となり得るという点で有益になり得る。さらに、前方をオープンにすることで、ミュージックカラーがより快適になる（例えば息の詰まるような感覚が回避される）のと同時に左側振動部を左側胸部に向けて、および右側振動部を右側胸部に向けて延長しやすくなる。さらに、ミュージックカラーは耳をふさぐ可能性はなく、さらに頭部に重みをかけるのではなくむしろ肩および胸部に重みをかけるため、ミュージックカラーの首周りの耳が楽になる可能性がある。
【００２１】
いくつかの実施形態では、ミュージックカラーの重量と、ミュージックカラーの形状と、ミュージックカラーの少なくとも２つの部分を接続するように構成される少なくとも１つのストラップと、のうちの少なくとも１つによって、ミュージックカラーとミュージックカラーを着用した人の体との間の接触を持続できる。ストラップの長さは調節可能である。少なくとも１つのストラップは、左側振動部を右側振動部と接続し、または左側振動部および右側振動部をメインフレームまたは上記の全てと接続するように構成することができる。
【００２２】
いくつかの実施形態では、ミュージックカラーは、ミュージックカラーを着用した人の鎖骨と接触しないように構成することができる。すなわち、ミュージックカラーは、鎖骨と接触できないように、または振動パッドが作り出す振動の鎖骨（すなわち、鎖骨とも呼ばれる）への伝達を少なくとも最小にできるように構成され得る。このことは特に有益になり得る。なぜなら、ミュージックカラーが鎖骨近傍に位置する前方左側振動パッドおよび前方右側振動パッドを含むため、当該振動パッドが鎖骨との接触を作り出す可能性が存在するからである。一般的に、鎖骨上の振動は不快な感覚を作り出す場合がある。したがって、ミュージックカラーが鎖骨と接触しないようにすることは有益になり得る。
【００２３】
いくつかの実施形態では、ミュージックカラーは、鎖骨をまたぐことによって鎖骨と接触しないようにできる。すなわち、ミュージックカラーは、川をまたぐ橋のように鎖骨と接触せずに鎖骨上にもたれ得る。ミュージックカラーは、人の肩および胸部に接触を作り出すことができ、ミュージックカラーが鎖骨をまたぐように支持することが可能である。この配置は有益になり得る。なぜなら胸部の内側部分との接触（好ましい人体との接触点の１つ）を持続することができるだけでなく、同時に鎖骨との接触を回避できるからである。
【００２４】
特定の実施形態では、ミュージックカラーの振動部（左側振動部および右側振動部）は細長部および装着部を含み得る。装着部は、振動パッドを装着部に装着するように構成することができる。細長部は、メインフレームと振動部との間の距離を定めるために利用することができるという点で望ましい場合がある。例えば、細長部は摺動機構と共に使用することができる。さらに、装着部は、振動パッドをミュージックカラーに装着するプロセスを容易にすることができる。
【００２５】
いくつかの実施形態では、装着部がミュージックカラーを着用した人の胸部に位置することができ、細長部が鎖骨と接触せずに鎖骨をまたぐことができるように装着部が細長部より厚くてもよい。すなわち、細長部の中心よりも、装着部の中心の方が人体、より詳細にはミュージックカラーを着用した人の胸部により近接できるように、振動部の装着部は振動部の細長部より厚くできる。装着部が厚くなればなるほど、細長部の中心は胸部からより離れてしまう可能性がある。さらに、装着部（および／または装着部に装着される振動パッド）の厚さは、細長部の中心が人体から十分遠く離れられるように、細長部（およびしたがってミュージックカラー）が鎖骨と接触できないように構成することができる。
【００２６】
いくつかの実施形態では、振動部の細長部は、ミュージックカラーを着用したユーザの鎖骨をまたぐために湾曲形状を含むように構成することができる。
【００２７】
いくつかの実施形態では、細長部の湾曲の半径は、２００ｍｍから８００ｍｍの範囲であり得る。
【００２８】
すなわち、いくつかの実施形態では、細長部は湾曲であり得て、すなわち、側面図で細長部が円弧状にできないような円弧状を含み得る。いくつかの実施形態では、細長部は、少なくとも２００ｍｍおよび最大でも８００ｍｍの曲率半径を含み得る。簡単に言えば、このような実施形態では、細長部の円弧は、半径２００ｍｍから８００ｍｍの範囲の円の一部であり得る。細長部の円弧はさらに、カラーブリッジの実施形態のカラーブリッジ機能を促進する場合がある。つまり、ユーザがミュージックカラーを着用する場合、細長部は、ユーザの鎖骨をまたぐことによってユーザの鎖骨との接触を低減または回避するように構成することができる。細長部の円弧状はさらに、鎖骨と細長部との間の距離を広げることによってこの接触回避をしやすくできる。例えば、細長部の円弧は、鎖骨の逆方向に向くことができ、細長部、およびしたがって振動部およびしたがってミュージックカラーが鎖骨をまたぐことができるように構成することができる。
【００２９】
いくつかの実施形態では、振動部は、ミュージックカラーを着用したユーザの鎖骨をまたぐために湾曲形状を含むように構成することができる。
【００３０】
いくつかの実施形態では、振動部の湾曲の半径は、２００ｍｍから８００ｍｍの範囲であり得る。
【００３１】
いくつかの実施形態では、ミュージックカラーは形状調節要素を含み得る。形状調節要素は、第１の要素と第２の要素間の距離を調節できるように第１の要素を第２の要素と接続するように構成することができる。さらに、形状調節要素は、形状調節要素によって接続された第１の要素と第２の要素間の角度の調節を可能にできる。いくつかの実施形態では、メインフレームは左側部分および右側部分を含み得る。つまり、メインフレームは２つの部分に分けることができる。メインフレームの左側部分および右側部分は、形状調節要素によって互いに接続または柔軟に接合することができる。このことは、メインフレームおよびミュージックカラーの長さおよび／または形状をその分だけ調節可能にできるという点で有益になり得る。様々な人々はミュージックカラーを着用する際に異なる体サイズおよび異なる嗜好も有しており、形状調節要素を用いて人々はミュージックカラーをそれに従って調節することができるという点で、特にメインフレームに位置する形状調節要素は有益になり得る。さらに、形状調節要素によりミュージックカラーのユーザは、ミュージックカラーが備える振動パッドが好ましい接触点（上記の実施形態のいくつかで説明される）で、またはユーザの個人的に好ましい接触点でユーザの体を接触させることができるように、ミュージックカラーの着用が可能になり得る。
【００３２】
いくつかの実施形態では、形状調節要素は、メインフレームの左側部分を調節することによってメインフレームの右側部分を対称的に調節できるように構成することができる。すなわち、引いたりまたは押したりするなど特定の調節をメインフレームの左側部分に適用した場合、次いで形状調節要素の構造により、メインフレームの右側部分が同時に同じ調節を受けられることが可能になり得、逆の場合も同様に、引いたりまたは押したりするなど特定の調節をメインフレームの右側部分に適用した場合、次いで形状調節要素の構造により、メインフレームの左側部分が同時に同じ調節を受けられることが可能になり得る。例えば、メインフレームの左側部分を左側に向けてｄ距離分引く（延長する）ことができる。すなわち、メインフレームの左側部分上の各位置は距離ｄだけ横断する。同時に、メインフレームの左側部分が左側に距離ｄだけ横断し、メインフレームの右側部分が右側に同じ距離ｄだけ横断（移動）する。簡単に言えば、メインフレームの左側および右側は、メインフレームの中心を貫通でき、メインフレームと同じ平面に位置できる対称軸に従って常に対称であり得る。
【００３３】
形状調節要素のこのような機能により、ミュージックカラーを効率的に形状調節することが可能となり得る。例えば、ミュージックカラーのユーザは、もっぱら両側の一端を調節することによってミュージックカラーの形状を調節できる、例えば、メインフレームの長さを延長できる。さらに、ミュージックカラーの左側と右側とが対称であることは通常有益になり得る。つまり、ユーザは、両側間の対称を実現するためにそれに従って左側部分および右側部分を調節する必要がないだけでなく、このような対称は形状調節要素の構造によって「自動的に」実現される。さらに、振動パッドと人体間の好ましい接触点は互いに対称である。例えば、首の後部（すなわち、僧帽筋の左側上部線維および右側上部線維）上の接触点はある程度対称である（例えば、人体の中心縦軸を参照）。したがって、好ましくは僧帽筋の左側上部線維および右側上部線維のそれぞれと接触できるミュージックカラーの後方左側振動パッドと後方右側振動パッド間の対称は有益になり得る。そのため、上記の実施形態で説明したように、形状調節要素の対称機能は、ミュージックカラーの形状を調節するのに効率的な方法になり得る。
【００３４】
いくつかの実施形態では、メインフレームは、可撓性材料を含み得る可撓性延長部によって接合できる左側部分および右側部分を備え得る。すなわち、ミュージックカラーのメインフレームは２つの部分、左側部分および右側部分を含み得る。区別するために、左側部分はミュージックカラーの左側に位置され得て、右側部分はミュージックカラーの右側に位置され得る。左側部分および右側部分は、互いに接触できないが、それらは可撓性延長部によって柔軟に接合される２つの別々の部分である。可撓性延長部は、可撓性延長部が次のいずれか（曲げる、ねじる、拡張する、収縮する）をできるようにする可撓性材料を含み得る。
【００３５】
すなわち、メインフレームの材料は曲げられない可能性があるので、メインフレームを単体構成として構成してもミュージックカラーの長さなどの形状を調節する際にあらゆる柔軟性を特徴とすることができない。したがって、メインフレームが２つの部分を含むように構成することは有益になり得る。なぜならメインフレームが２つの部分を含むように構成することで２つの部分は例えば可撓性延長部によって柔軟に接続できるからである。可撓性延長部は、曲げる、拡張する、ねじる、収縮するといった形状調節機能を含むことができるため、ミュージックカラーの形状を調節できる。さらに、メインフレーム構造に損傷を与える可能性がある危険な状況、例えばミュージックカラーがある高さから落下する、または外力がメインフレームに加えられるなどの状況において、可撓性延長部はさらに有益になり得、可撓性延長部がメインフレームに提供できる可撓性材料および柔軟性は、破壊または損傷からメインフレーム構造を守ることができる。
【００３６】
いくつかの実施形態では、可撓性延長部は、ミュージックカラーを着用したユーザの頭部に向かう上部に円弧状を含むことができ、ミュージックカラーを着用した人の頭部との接触を回避または少なくとも低減するように構成することができる。例えば、可撓性延長部は、その両側の一端が湾曲である矩形状を含んでもよく、または実質的にＵ字形状を含み得る。湾曲形状を含む側は、ミュージックカラーを着用した人の頭部と接触できる側（すなわち、頭部に最も近い側）である。すなわち、可撓性延長部の上側は湾曲を含む、または実質的にＵ字形状を含み得て、頭部方向（例えば、頭部は、立っている人の体の最上部にある）を参照されたい。より快適な接触を作り出すために、またはいくつかの実施形態では頭部と可撓性延長部との間が完全に接触しないようにするために、可撓性延長部の円弧を設けることができる。可撓性延長部の円弧は、ミュージックカラーのユーザが頭部を後ろにそらせる、または不意に頭部を後ろにそらせる場合に特に有益になり得る。この円弧は、頭部と可撓性延長部間の激しい接触を回避する、または少なくともある程度接触を和らげることができる。
【００３７】
いくつかの実施形態では、ミュージックカラーは摺動機構を含み得る。摺動機構は、要素間の距離を変えられるように２つの要素を柔軟に接合するように構成され得る。いくつかの実施形態では、ミュージックカラーのメインフレームおよび左側振動部が摺動機構によって接合される。これは、左側振動部およびメインフレーム間の距離の調節を可能にできるという点で有益になり得る。さらにいくつかの実施形態では、ミュージックカラーのメインフレームおよび右側振動部が摺動機構によって接合される。これは、右側振動部およびメインフレーム間の距離の調節を可能にできるという点で有益になり得る。様々な人々はミュージックカラーを着用する際に異なる体サイズおよび異なる嗜好も有しており、摺動機構を用いて人々はミュージックカラーをそれに従って調節することができるという点で、特にメインフレームを左側振動部と接合する、またはメインフレームを右側振動部と接合する摺動機構は有益になり得る。
【００３８】
いくつかの実施形態では、ミュージックカラーはさらに、ミュージックカラーの振動パッドに供給される入力電気信号の振幅または周波数のうち少なくとも１つを調節するように構成される少なくとも１つの増幅器モジュールを含むことができる。増幅器モジュールの入力時の電気信号は、電気信号の形態でミュージックカラーに伝達される音楽などの電気信号を提供する外部装置によってもたらされる場合がある。増幅器モジュールの出力は、振動パッドへの入力として接続することができる。さらに、増幅器モジュールの出力は、ヘッドホンなどの外部装置への入力として接続することができる。増幅器モジュールは、振動パッドおよび／または外部装置に供給される電気信号を調節するように構成することができる。例えば、信号の電力が低い場合、次いで増幅器モジュールは振動パッドおよび／または外部装置が必要とする電力レベルにまで信号を増幅することができる。増幅器モジュールはさらに、一定範囲の周波数だけを振動パッドおよび／または外部装置に供給可能にする周波数フィルタとして構成することができる。例えば、増幅器モジュールは、２５０Ｈｚまでの周波数を備える信号だけを振動パッドに供給可能にし、あらゆる信号をヘッドホンなどの外部装置に供給可能にできるように構成することができる。
【００３９】
いくつかの実施形態では、振動パッドに供給される電気信号が重低音、低音または２５０Ｈｚ未満の周波数を備える信号などの低周波数信号を含むように、増幅器モジュールが閾値を上回る周波数、好ましくは２５０Ｈｚを上回る周波数を遮断するように構成することができる。特に低周波数振動は触覚によってほとんどが知覚され得るという点で、このことは有益になり得る。例えば、２５０Ｈｚ未満（低音、または重低音とも呼ばれる）の周波数を備える信号は、振動に変えられ、人体に伝達されたときに容易に知覚することができる。ただし、高周波数振動は我々の触覚で検知または知覚することが容易ではない場合がある。したがって、全周波数範囲を振動パッドに伝達するのではなく、重低音（すなわち、２５０Ｈｚ未満の周波数を備える信号）だけを振動パッドに伝達する。さらに、より高音の音量を変えずに重低音の音量だけの調節を可能にできるという点で、当該増幅器モジュールは有益になり得る。
【００４０】
いくつかの実施形態では、ミュージックカラーは、振動パッドが作り出す振動の強度を制御するように構成される音量制御器を含み得る。この音量制御器は、ミュージックカラーを着用した人が振動の強度を調節できるという点で有益になり得る。さらに、いくつかの実施形態では、音量制御器は、ミュージックカラーのあらゆる振動パッドが作り出す振動の強度を独立調節するように構成することができる。
【００４１】
いくつかの実施形態では、音量制御器は、低音レベル制御器として構成することができ、振動パッドに供給される低周波数信号の音量、好ましくは２５０Ｈｚ未満の周波数を備える信号の音量を調節することができる。すなわち、低音レベル制御器は、低音ブーストまたは低音レベルを制御するように構成することができる。つまり、低音レベル制御器は、重低音または低音とも呼ぶことができる低周波数音のレベルまたは振幅を調節するように構成することができる。いくつかの実施形態では、低音レベル制御器は、１６Ｈｚから２５０Ｈｚなど、２５６Ｈｚよりも低い周波数を備える電気信号の振幅を調節することができる。ミュージックカラーが低音レベル制御器を含むことは有益になり得る。なぜなら低音レベル制御器により、ミュージックカラーのユーザは振動の強度すなわち重低音の振幅またはレベル、もしくは２５０Ｈｚよりも低い周波数を備える信号などの低周波数信号を直接および単独で調節することが可能となるためである。低音レベルを上げることによりユーザが感じるこうした振動感覚を高めることができ、一方、低音レベルを下げることによりミュージックカラーのユーザが感じるこうした振動感覚を和らげることができる。
【００４２】
いくつかの実施形態では、ミュージックカラーはさらに有線コネクタを含み得る。有線コネクタは、ミュージックカラーと、ヘッドホン、携帯電話またはデジタルオーディオプレーヤーなどの外部装置との間で有線接続をしやすくするように構成することができる。この有線接続はオーディオケーブルによって実現できる。この有線接続は、オーディオデータ、音楽データ、音データ、音声データなどのデータを交換するのに利用することができる。
【００４３】
いくつかの実施形態では、ミュージックカラーはさらに無線コネクタを含み得る。無線コネクタは、ミュージックカラーと、ヘッドホン、携帯電話またはデジタルオーディオプレーヤーなどの外部装置との間で無線接続を作り出しやすくするように構成することができる。この無線接続はＢｌｕｅｔｏｏｔｈ（登録商標）接続であり得る。この無線接続は、オーディオデータ、音楽データ、音データ、音声データなどのデータを交換するのに利用することができる。
【００４４】
つまり、ミュージックカラーは、無線接続および／または有線接続を介して外部装置と接続するように構成することができる。外部装置は、音楽プレーヤー装置、マイクロホン、ヘッドホン、ヘッドセット、スピーカー、外部振動パッドであり得るが、それに限定されない。すなわち、ミュージックカラーはデータを外部装置とやりとりできる。この外部装置とのデータのやりとりは有益になり得る。なぜなら外部装置は音楽などのデータをミュージックカラーに伝達するのに使用できるためである。例えば、ミュージックカラーは、音楽データをミュージックカラーに供給する音楽プレーヤー装置と接続できる。こうした外部装置との接続はさらに有益になり得る。なぜならミュージックカラーは音楽などのデータを外部装置に伝達することができるためである。例えば、ミュージックカラーはヘッドホンと接続でき、音楽などのデータをヘッドホンに供給できる。したがって、ユーザは、ヘッドホンを用いて耳で音楽を聴くことができ、同時にミュージックカラーが作り出す振動を知覚でき、振動は低周波数音（すなわち低音）など音楽の特定の音に従う。
【００４５】
いくつかの実施形態では、ミュージックカラーは、無線接続および／または有線接続によってヘッドホン、音楽プレーヤー、外部スピーカー、マイクロホン、外部オーディオ装置、外部振動パッド、携帯電話、デジタルオーディオプレーヤーなどの外部装置と接続できる。このような実施形態では、ミュージックカラーは、振動パッドに伝達される信号の周波数を最大閾値、好ましくは２５０Ｈｚ未満に制限できるように構成することができる。さらに、外部装置に伝達される周波数は、２００００Ｈｚ未満などの可聴周波数範囲全体を含むことができる。振動を触覚で効率的に知覚できる低周波数信号だけが振動パッドに供給されるということが、このような実施形態の１つの利点になり得る。すなわち、電気信号は（振動パッドに供給される場合に）同じ周波数の振動を作り出すことができる。例えば、１０００Ｈｚの信号は、周波数１０００Ｈｚの振動を作り出すことができる。ただし、高周波数振動を触覚で知覚することはほとんどない。したがって、高周波数の信号（２５０Ｈｚを超える周波数を備える信号など）を振動パッドに供給することは冗長になる場合がある。さらに、可聴周波数範囲全体が振動パッドに伝達される場合、次いで振動パッドはスピーカーと同様の作用を示す可能性がある。これは周囲に聞かれる可能性がある音波を作り出すことにつながる場合がある。したがって、振動パッドに伝達される周波数範囲を２５０Ｈｚ未満にまで下げることによって、つまり重低音だけを振動パッドに伝達できるようにすることでこのような影響が低減される。なぜなら、低音は周囲に聞かれる可能性がない（または少なくとも低音は高周波数音波ほど聞かれることがない）からである。
【００４６】
いくつかの実施形態では、ミュージックカラーは外部装置と接続でき、音量制御器は外部装置内の音声の音量に影響を与えることなく振動パッド上の振動の強度を調節するように構成することができる。すなわち、ミュージックカラーは、無線接続および／または有線接続によってヘッドホン、外部スピーカー、マイクロホン、外部オーディオ装置、外部振動パッド、携帯電話、デジタルオーディオプレーヤーなどの外部装置と接続できる。したがって、電気信号が振動パッドに供給されることで振動パッドを振動させ、電気信号が外部装置に伝達される（音声を作り出すヘッドホンが外部装置である場合）。このような実施形態では、音量制御器は、外部装置に伝達される電気信号に影響を与えることなく振動パッド上の音量だけ、すなわち振動パッドに供給される電気信号の振幅を調節するように構成することができる。つまり、ミュージックカラーのユーザは、外部装置上の音に影響を与えることなく振動パッドが作り出す振動の強度だけを上げるまたは下げることができる。
【００４７】
いくつかの実施形態では、ミュージックカラーは複数の音声チャネルを含み得る。後方左側振動パッドおよび後方右側振動パッドは互いに独立して制御できる。すなわち、このような実施形態では、後方左側振動パッドおよび後方右側振動パッドは、それ自体の接続チャネル、すなわち、入力信号源へのそれ自体の接続を備える。さらに、いくつかの実施形態では、前方左側振動パッドはミュージックカラーの他の振動パッドから独立して制御される。いくつかの実施形態では、前方右側振動パッドは、ミュージックカラーの他の振動パッドから独立して制御される。ミュージックカラーのいくつかの振動パッドまたは全ての振動パッドを独立制御することは有益になり得る。なぜなら立体音響効果またはサラウンドサウンド効果などの振動の多方向機能を作り出すことができるからである。
【００４８】
いくつかの実施形態では、ミュージックカラーはさらに、ミュージックカラーが備える振動パッドの第１の群が作り出す振動の強度を振動パッドの第２の群に対して調節するように構成されるバランス制御ボタンを含み得る。つまり、バランス制御ボタンは、より多くの電力を振動パッドの第１の群に供給することができ、少ない電力を振動パッドの第２の群に供給することができる。また、バランス制御ボタンは、より多くの電力を振動パッドの第２の群に供給することができ、少ない電力を振動パッドの第１の群に供給することができる。すなわち、バランス制御ボタンは、第１の群および第２の群間に電力を均等に分布することができる。つまり、バランス制御ボタンは、どのくらいの電力（すなわち、振動パッドに供給される電気信号の電力）が各群の振動パッドに供給されるかを制御できる。振動パッドに供給される電気信号の電力、好ましくは振動パッドに供給される電気信号の振幅を制御することによって、振動パッドの各群が作り出す振動の強度を制御することができる。
【００４９】
いくつかの実施形態では、振動パッドの第１の群はミュージックカラーの後方に位置する振動パッドを含むことができ、振動パッドの第２の群はミュージックカラーの前方に位置する振動パッドを含むことができる。このような実施形態では、後方振動パッドおよび前方振動パッド間でバランスを変えることができる。言い換えれば、バランス制御ボタンは、後方振動パッドが前方振動パッドよりもより強度の振動を作り出すように、また逆の場合も同様に、前方振動パッドが後方振動パッドよりもより強度の振動を作り出すように、もしくは、後方振動パッドおよび前方振動パッドが同じ強度の振動を作り出すように、振動パッドを構成できる。
【００５０】
いくつかの実施形態では、振動パッドの第１の群はミュージックカラーの左側に位置する振動パッドを含むことができ、振動パッドの第２の群はミュージックカラーの右側に位置する振動パッドを含むことができる。このような実施形態では、左側振動パッドおよび右側振動パッド間でバランスを変えることができる。言い換えれば、バランス制御ボタンは、左側振動パッドが右側振動パッドよりもより強度の振動を作り出すように、また逆の場合も同様に、右側振動パッドが左側振動パッドよりもより強度の振動を作り出すように、もしくは、左側振動パッドおよび右側振動パッドが同じ強度の振動を作り出すように、振動パッドを構成できる。
【００５１】
いくつかの実施形態では、ミュージックカラーにおいて、バランス制御ボタンは２つまたは４つのボタンを含み得る。各ボタンは、ある特定の側で振動の強度を上げる、および／または反対側で振動の強度を下げるように構成することができる。例えば、バランス制御ボタンが２つのボタンを含む場合、２つのボタンは左側と右側との間の、または後方と前方との間の振動の強度を調節するように構成することができる。
【００５２】
いくつかの実施形態では、ミュージックカラーはさらに、少なくとも１つのバッテリを含むことができる。
【００５３】
いくつかの実施形態では、ミュージックカラーはさらに、ミュージックカラーの電源のオンまたはオフの切り替えを行うように構成される電源ボタンを含むことができる。
【００５４】
いくつかの実施形態では、ミュージックカラーは、音声信号が作り出す振動を感知する装置として使用することができる。つまり、このような実施形態では、入力電気信号は音声信号であり得る。
【００５５】
いくつかの実施形態では、音楽信号はマッサージ装置として使用できる。つまり、ミュージックカラーが作り出す振動はマッサージ用に使用し得る。
【００５６】
第２の実施形態では、好ましくはミュージックカラー用の、より好ましくは振動パッド用の接触プレートを開示する。接触プレートは、接触プレートを振動パッドに取り付けるように構成される第１の面を含む。接触プレートは粘着によって振動パッドに取り付けることができる。
【００５７】
さらに、接触プレートは、振動パッドと人体との間で接触を促進するように構成される第２の凸状面および／または第２の凹状面のうち少なくとも１つを含む。すなわち、いくつかの実施形態では、接触プレートは第２の凸状面を含み得る。いくつかの他の実施形態では、接触プレートは第２の凹状面を含み得る。さらに他の実施形態では、接触プレートは、第２の凸状面および第２の凹状面、または第２の凹状面および第２の凸状面の組み合わせを含み得る。第２の凸状面および／または第２の凹状面は、接触プレートが接触できる体の形状に合わせて接触プレートの接触面を調節するという点で有益になり得る。
【００５８】
接触プレートはさらに少なくとも１つの孔を含む。孔は、接触プレートの本体内の空洞であり得る。孔は接触プレートの第１の面で作られる通路状になり得る、すなわち第１の面は平滑面ではない。少なくとも１つの孔は、振動パッドと接触プレートとの間に空気が閉じ込められないようにできるという点で有益になり得る。
【００５９】
いくつかの実施形態では、接触プレートは円形外形または楕円外形を含み得る。すなわち、上面図では、接触プレートの外形は円または楕円であり得る。接触プレートの外形は、接触プレートの中心から全ての方向において最も遠い地点を含む線から構成できる。
【００６０】
いくつかの実施形態では、接触プレートは、２０ｍｍから８０ｍｍの範囲の、好ましくは３０ｍｍから５５ｍｍの範囲の外径を含むことができる。すなわち、円形の外形である場合、接触プレートは、２０ｍｍから８０ｍｍの範囲の、好ましくは３０ｍｍから５５ｍｍの範囲の外径を含む。楕円形である場合、２つの小外径は内径および外径を画定することができ、外径および内径は２０ｍｍから８０ｍｍの範囲、好ましくは３０ｍｍから５５ｍｍの範囲である。不規則な外形である場合、次いで接触プレート内の２地点間の最大距離は、２０ｍｍから８０ｍｍの範囲、好ましくは３０ｍｍから５５ｍｍの範囲内であり得る。
【００６１】
いくつかの実施形態では、接触プレートは、０．５ｍｍから１５ｍｍの範囲、好ましくは２ｍｍから６ｍｍの範囲の厚さを含み得る。接触プレートの厚さは、接触プレートの第１の面と第２の面との間の距離を画定することができる。
【００６２】
すなわち、接触プレートは、第１の面および第２の面（つまり、第２の凹状面および／または第２の凸状面）を含み得る。参照システムにするために、第１の面は第２の面よりも低い位置（または下方）にあり得る。第１の面の３つの最下部を通る平面は設置基準面として画定でき、設置基準面の各位置の高さはゼロである。本文章全体を通じて、接触プレートの高さは、第２の面（すなわち、第２の凹状面および／または第２の凸状面）の位置から垂直平面までの設置基準面に垂直である部分の長さとして画定できる。さらに、本文章全体を通じて、凸状接触プレートの厚さは、設置基準面に垂直である線に位置する２つの地点間の距離として、２つの地点のうち１つの地点が第１の面に位置し、もう１つの地点が第２の面に位置するように画定できる。接触プレートの第２の面と第１の面との間の距離、すなわち、接触プレートの厚さは、０．５ｍｍから１５ｍｍの範囲、好ましくは２ｍｍから６ｍｍの範囲であり得る。
【００６３】
いくつかの実施形態では、凸状接触プレートの外側部分から凸状接触プレートの中心に向かって凸状接触プレートの高さが増すことにより、第２の凸状面を作り出すことができる。つまり、外側部分の凸状接触プレートの高さは、中心の凸状接触プレートの高さよりも低い。すなわち、凸状接触プレートの外側部分の少なくとも３つの地点が設置基準面を画定することができ、設置基準面の各地点の高さはゼロである。ある地点が設置基準面に垂直である凸状接触プレートの中心軸に近づくほど、凸状接触プレートの第２の凸状面内にあるあらゆる地点の設置基準面からの距離（すなわち、高さ）が大きくなる。簡単に言えば、第２の凸状面は、丸屋根、または切頭球体もしくは切頭楕円の外面に類似する形状を含み得る。いくつかの実施形態では、凸状接触プレートの厚さは（ある程度）一定であり得て、これは第１の面および第２の面が（ある程度）同一形状を含むことを意味する。簡単に言えば、凸状接触プレートは、内側から空になっている丸屋根、または切頭球体もしくは切頭楕円の外面に類似する形状を含む。いくつかの他の実施形態では、凸状接触プレートの厚さは（ある程度）凸状接触プレートの高さと等しくてもよく、これは第１の面が平面である（すなわち、設置基準面に位置できる）ことを意味する。簡単に言えば、このような実施形態では、凸状接触プレートは、内側が空ではない（すなわち、第１の面および第２の面の材料などの材料で満たされた）丸屋根、または切頭球体もしくは切頭楕円に類似する形状を含む。
【００６４】
いくつかの実施形態では、少なくとも１つの方向に従って凹状接触プレートの外側部分から凹状接触プレートの中心に向かって凹状接触プレートの高さが減少し、少なくとも１つの他の方向に従って凹状接触プレートの外側部分から凹状接触プレートの中心に向かって凹状接触プレートの高さが一定になる。すなわち、凹状接触プレートの少なくとも１つの断面図では、第２の凹状面は、下方に向く（すなわち、第１の面の方向に向く）湾曲のように見える場合があり、凹状接触プレートの少なくとも１つの他の断面図では、第２の凹状面は直線のように見える場合がある。簡単に言えば、凹状接触プレートの形状は、基部なし切頭円柱（すなわち、円柱がその基部に垂直である平面により切頭される）の内形に類似し得る。いくつかの他の実施形態では、凹状接触プレートの厚さは（ある程度）一定であり得て、これは第１の面および第２の面が（ある程度）同一形状を含むことを意味する。簡単に言えば、凹状接触プレートは、内側から空になっている基部なし切頭円柱（すなわち、円柱がその基部に垂直である平面近傍で切頭される）の内形に類似する形状を含む。いくつかの他の実施形態では、凹状接触プレートの厚さは（ある程度）凹状接触プレートの高さと等しくてもよく、これは第１の面が平面である（すなわち、設置基準面に位置できる）ことを意味する。簡単に言えば、このような実施形態では、凸状接触プレートは、内側が空ではない（すなわち、第１の面および第２の面の材料などの材料で満たされた）基部なし切頭円柱（すなわち、円柱がその基部に垂直である平面により切頭される）の内形に類似する形状を含む。
【００６５】
いくつかの実施形態では、接触プレートは、少なくとも１つの孔の面積の合計が接触プレートの総面積の少なくとも２％、好ましくは少なくとも５％、および８％など最大でも１０％であるように構成される。接触プレートの少なくとも１つの孔は、接触プレートと振動パッド間で閉じ込められた空気の圧力を低減するという点で有益になり得る。つまり、接触プレートを振動パッドに取り付けるとき、空気が接触プレートと振動パッドとの間に閉じ込められる場合がある。振動パッドが作り出す振動時に、閉じ込められた空気で満たされた振動パッドと接触プレート間の空気量が変化する。この空気量の変化は、閉じ込められた空気圧力を変化させる可能性があり、結果高圧を作り出すことにつながる場合がある。このような高圧は、振動パッド、または接触プレート、もしくは振動パッドおよび接触プレート間の取り付けに損傷をもたらす場合がある。接触プレートの構造体の中に少なくとも１つの孔があれば、空気は接触プレートと振動パッド間で閉じ込められないため、振動パッドと接触プレート間での高圧生成が回避される。さらに、接触プレートの孔は、人体と接触プレートとの接触面の隔離を減らすように構成することができるという点で有益になり得る。したがって、接触した人体の皮膚と接触プレート間で換気が高まることによって、汗の発生を減らすことにつながる可能性がある。
【００６６】
いくつかの実施形態では、第１の面は、好ましくは接着で振動パッドに堅固に装着することができる。堅固な装着は、振動パッドが作り出す振動時に、振動パッドと接触プレート間の接続を持続させるのに役立つ。さらに、装着を緩くしてしまうと、接触プレートは振動パッドとは異なる振動を生じる可能性があり、振動パッドが作り出す望ましい振動が歪んでしまうことになるであろう。
【００６７】
いくつかの実施形態では、接触プレートの第２の凸状面は、接触プレートおよび接触プレートと接触する人体との間の接触面が角度に依存しなくなるように構成することができる。すなわち、接触する人体の同じ部分に対して接触プレートがどのように回転するかに関わらず、第２の凸状面と人体との間の接触面は一定である。
【００６８】
いくつかの実施形態では、接触プレートの第２の凹状面は、接触プレートと、首など円弧状の人体領域との間の接触面を最大限に高められるように構成することができる。例えば、第２の凹状面は、人体との接触面が最大限に高められるような凹みを含むことができる。これは、振動を人体により伝達しやすくすることを可能にできるという点で有益になり得る。
【００６９】
第３の実施形態では、ミュージックカラーおよび少なくとも１つの接触プレートを含むシステムを開示する。ミュージックカラーは、ミュージックカラーを着用した人の首の後部と接触する少なくとも２つの後方振動パッドを含む。少なくとも１つの接触プレートは、ミュージックカラーの振動パッドに取り付けられる。接触プレートは、振動パッドとミュージックカラーを着用した人の体との間で接触を促進するように構成される。
【００７０】
いくつかの実施形態では、後方振動パッドに取り付けられる接触プレートは第２の凹状面を含み得る。これは、首の後部は凸形状面を含むため、接触プレートの第２の凹状面は接触プレートと首の後部との間の接触を高めるので、有益になり得る。後方振動パッドに取り付けられる接触プレートが接触する首の後部の軟組織は、僧帽筋の上部線維を含み得る。
【００７１】
いくつかの実施形態では、ミュージックカラーは前方左側振動パッドおよび前方右側振動パッドを含むことができ、前方振動パッドに取り付けられる接触プレートは、接触プレートの形状が人の胸部の形状、好ましくは大胸筋を含む鎖骨の下方の軟組織の形状と適合されるように第２の凸状面を含む。このことは、人体と接触プレート間の接触面が角度に依存しなくなる可能性があるという点で有益になり得る。
【００７２】
いくつかの実施形態では、ミュージックカラーは、ミュージックカラーを着用した人の鎖骨と接触しないように構成することができる。すなわち、ミュージックカラーは、ミュージックカラーが鎖骨と接触できないように、または振動パッドが作り出す振動を鎖骨（すなわち、鎖骨とも呼ばれる）に伝達することを少なくとも最小限に抑えられるように構成することができる。このことは、ミュージックカラーが鎖骨近傍に位置する前方左側振動パッドおよび前方右側振動パッドを含むため、当該振動パッドが鎖骨との接触を作り出す可能性があるので、特に有益になり得る。一般的に、鎖骨上の振動は不快な感覚を作り出す場合がある。したがって、ミュージックカラーが鎖骨と接触しないようにすることは有益になり得る。
【００７３】
いくつかの実施形態では、ミュージックカラーは、鎖骨をまたぐことによって鎖骨と接触しないようにできる。すなわち、ミュージックカラーは、川をまたぐ橋のように鎖骨と接触せずに鎖骨上にもたれ得る。ミュージックカラーは、人の肩および胸部に接触を作り出すことができ、ミュージックカラーが鎖骨をまたぐように支持することが可能である。この配置は、胸部の内側部分との接触（好ましい人体との接触点の１つ）を持続することができるが、同時に鎖骨との接触を回避できるので、有益になり得る。
【００７４】
接触プレートが少なくとも１つの孔を含むことができるいくつかの実施形態では、人体と接触プレートとの接触面の隔離を減らし得る。これは、接触プレート近傍の接触した人体の皮膚における汗の発生を減らすことができるという点で有益になり得る。
【００７５】
いくつかの実施形態では、ミュージックカラーは、音声信号が作り出す振動を感知する装置として使用することができる。
【００７６】
いくつかの実施形態では、ミュージックカラーはマッサージ装置として使用され得る。
【００７７】
ミュージックカラーの複数の実施形態を以下でさらに考察する。
【００７８】
１．ミュージックカラー（１０）であって、ミュージックカラー（１０）が首装置の周りに装着するように構成され、ミュージックカラー（１０）は、少なくとも後方左側振動パッド（２０）および後方右側振動パッド（２０）を含み、ミュージックカラー（１０）を着用した人の首の後部の軟組織と直接的または間接的に接触するように構成される、メインフレーム（１００）を含み、振動パッド（２０）が入力電気信号を振動に変え、振動をミュージックカラー（１０）を着用した人の軟組織に伝達するように構成される、ミュージックカラー（１０）。
［ミュージックカラーの一般的な形状および構成］
【００７９】
２．後方左側振動パッド（２０）がミュージックカラー（１０）を着用した人の僧帽筋（２０７）の上部線維の左側部分を含む軟組織と接触するように構成される、前述の実施形態に記載のミュージックカラー（１０）。
【００８０】
３．後方右側振動パッド（２０）がミュージックカラー（１０）を着用した人の僧帽筋（２０７）の上部線維の右側部分を含む軟組織と接触するように構成される、前述の実施形態のいずれかに記載のミュージックカラー（１０）。
【００８１】
４．メインフレーム（１００）の左側でメインフレーム（１００）と接続される左側振動部（１０１）をさらに含み、左側振動部（１０１）がミュージックカラーを着用した人の胸部の左側部分の軟組織と直接的または間接的に接触するように構成される前方左側振動パッド（２０）を含む、前述の実施形態のいずれかに記載のミュージックカラー（１０）。
【００８２】
５．前方左側振動パッド（２０）が大胸筋の左側部分を含む左側鎖骨（２０５）の下方の軟組織、好ましくはミュージックカラー（１０）を着用した人の左側大胸筋の鎖骨部と接触するようにミュージックカラー（１０）を構成する、前述の実施形態に記載のミュージックカラー（１０）。
【００８３】
６．メインフレーム（１００）の右側でメインフレーム（１００）と接続される右側振動部（１０２）をさらに含み、右側振動部（１０２）がミュージックカラー（１０）を着用した人の胸部の右側部分の軟組織と直接的または間接的に接触するように構成される前方右側振動パッド（２０）を含む、前述の実施形態のいずれかに記載のミュージックカラー（１０）。
【００８４】
７．前方右側振動パッド（２０）が大胸筋の右側部分を含む右側鎖骨（２０５）の下方の軟組織、好ましくはミュージックカラー（１０）を着用した人の右側大胸筋の鎖骨部と接触するようにミュージックカラー（１０）を構成する、前述の実施形態に記載のミュージックカラー（１０）。
【００８５】
８．ミュージックカラー（１０）を首の周りに着用しやすくするように、好ましくは少なくとも１２０°、好ましくは少なくとも１８０°および最大でも２４０°の角度でミュージックカラー（１０）を着用する人の首を包囲するように構成された半円形状などの湾曲形状をメインフレーム（１００）が含む、前述の実施形態のいずれかに記載のミュージックカラー（１０）。
【００８６】
９．ミュージックカラーの重量と、ミュージックカラーの形状と、ミュージックカラー（１０）の少なくとも２つの部分を接続するように構成される調節可能な長さを備える少なくとも１つのストラップと、のうちの少なくとも１つによって、ミュージックカラー（１０）とミュージックカラー（１０）を着用した人の体との間の接触を持続できる、前述の実施形態のいずれかに記載のミュージックカラー（１０）。
［カラーブリッジの実施形態］
【００８７】
１０．好ましくはミュージックカラー（１０）を着用した人の鎖骨（２０５）をまたぐことによってミュージックカラー（１０）が鎖骨（２０５）と接触しないように構成される、前述の実施形態のいずれかに記載のミュージックカラー（１０）。
【００８８】
１１．ミュージックカラー（１０）は、ミュージックカラー（１０）を着用した人の肩および胸部に重みをかけることによって鎖骨（２０５）をまたぐように構成される、前述の実施形態のいずれかに記載のミュージックカラー（１０）。
【００８９】
１２．振動部（１０１）および（１０２）は細長部（１１０）と装着部（１２０）とを含み、装着部（１２０）は振動パッド（２０）を装着部に装着するように構成される、前述の実施形態のいずれかに記載の、および実施形態４および６の機能を備えるミュージックカラー（１０）。
【００９０】
１３．装着部（１２０）がミュージックカラー（１０）を着用した人の胸部に位置することができ、細長部（１１０）が鎖骨と接触せずに鎖骨（２０５）をまたぐことができるように装着部（１２０）が細長部（１１０）より厚い、前述の実施形態に記載のミュージックカラー（１０）。
【００９１】
１４．細長部（１１０）は、ミュージックカラー（１０）を着用したユーザの鎖骨をまたぐために湾曲形状を含むように構成される、実施形態１２に記載のミュージックカラー（１０）。
【００９２】
１５．細長部（１１０）の湾曲の半径が２００ｍｍから８００ｍｍの範囲にある、前述の実施形態に記載のミュージックカラー（１０）。
【００９３】
１６．振動部（１０１）および（１０２）は、ミュージックカラー（１０）を着用したユーザの鎖骨をまたぐために湾曲形状を含むように構成される、前述の実施形態のいずれかに記載の、および実施形態４および６の機能を備えるミュージックカラー（１０）。
【００９４】
１７．振動部（１０１）および（１０２）の湾曲の半径が２００ｍｍから８００ｍｍの範囲にある、前述の実施形態のいずれかに記載のミュージックカラー（１０）。形状調節要素
【００９５】
１８．第１の要素と第２の要素間の距離および角度の少なくとも１つを調節できるように第１の要素を第２の要素と接続するように構成される形状調節要素（８１０）をさらに含む、前述の実施形態のいずれかに記載のミュージックカラー（１０）。
【００９６】
１９．メインフレーム（１００）が、形状調節要素（８１０）によって接続される左側部分（１００Ｌ）および右側部分（１００Ｒ）を含む、前述の実施形態に記載のミュージックカラー（１０）。
【００９７】
２０．形状調節要素（８１０）は、形状調節要素（８１０）およびメインフレーム（１００）の左側部分（１００Ｌ）を利用してミュージックカラー（１０）の形状を調節することによってメインフレーム（１００）の右側部分（１００Ｒ）が対称的に調節され、逆の場合も同様に、形状調節要素（８１０）およびメインフレーム（１００）の右側部分（１００Ｒ）を利用してミュージックカラー（１０）の形状を調節することによってメインフレーム（１００）の左側部分（１００Ｌ）が対称的に調節されるように構成される、前述の実施形態に記載のミュージックカラー（１０）。
【００９８】
２１．メインフレーム（１００）が、可撓性材料を含む可撓性延長部（８７０）によって接合される左側部分（１００Ｌ）および右側部分（１００Ｒ）を備える、前述の実施形態のいずれかに記載のミュージックカラー（１０）。
【００９９】
２２．可撓性延長部（８７０）がミュージックカラー（１０）を着用したユーザの頭部に向かう上部に円弧状を含み、ミュージックカラー（１０）を着用した人の頭部との接触を回避または少なくとも低減するように構成される、前述の実施形態に記載のミュージックカラー（１０）。
【０１００】
２３．第１の要素と第２の要素間の距離を調節できるように第１の要素を第２の要素と接合するように構成される摺動機構（８６０）をさらに含む、前述の実施形態のいずれかに記載のミュージックカラー（１０）。
【０１０１】
２４．メインフレーム（１００）および左側振動部（１０１）が摺動機構（８６０）によって接続される、前述の実施形態に記載の、および実施形態４の機能を備えるミュージックカラー（１０）。
【０１０２】
２５．メインフレーム（１００）および右側振動部（１０２）が摺動機構（８６０）によって接続される、前述の実施形態のいずれかに記載の、および実施形態６および２３の機能を備えるミュージックカラー（１０）。
［低周波数の遮断］
【０１０３】
２６．振動パッド（２０）に供給される電気信号の振幅または周波数の少なくとも１つを調節するように構成される増幅器モジュール（３０）をさらに含む、前述の実施形態のいずれかに記載のミュージックカラー（１０）。
【０１０４】
２７．振動パッド（２０）に供給される電気信号が重低音および低音などの低周波数信号、または２５０Ｈｚ未満の周波数を備える信号を含むように、増幅器モジュール（３０）が閾値を上回る周波数、好ましくは２５０Ｈｚを上回る周波数を遮断するように構成される、前述の実施形態に記載のミュージックカラー（１０）。
［音量／低音制御］
【０１０５】
２８．振動パッド（２０）が作り出す振動の強度を制御するように構成される音量制御器（６０）をさらに含む、前述の実施形態のいずれかに記載のミュージックカラー（１０）。
【０１０６】
２９．音量制御器（６０）がミュージックカラー（１０）の各振動パッド（２０）が作り出す振動の強度を独立調節する、前述の実施形態に記載のミュージックカラー（１０）。
【０１０７】
３０．音量制御器（６０）が、低音レベル制御器（６０）として構成され、振動パッド（２０）に供給される低周波数信号の音量、好ましくは２５０Ｈｚ未満の周波数を備える信号の音量を調節することができる、前述の実施形態のいずれかに記載の、および実施形態２７の機能を備えるミュージックカラー（１０）。
［外部装置接続］
【０１０８】
３１．ミュージックカラー（１０）と、ヘッドホン、携帯電話またはデジタルオーディオプレーヤーなどの外部装置との間で有線接続をしやすくするように構成される有線コネクタ（７０）をさらに含む、前述の実施形態のいずれかに記載のミュージックカラー（１０）。
【０１０９】
３２．ミュージックカラー（１０）と、ヘッドホン、携帯電話またはデジタルオーディオプレーヤーなどの外部装置との間でＢｌｕｅｔｏｏｔｈ接続などの無線接続をしやすくするように構成される無線コネクタ（４０）をさらに含む、前述の実施形態のいずれかに記載のミュージックカラー（１０）。
【０１１０】
３３．振動パッド（２０）に伝達される信号の周波数を閾値未満に制限する、好ましくは２５０Ｈｚ未満に制限し、外部装置に伝達される周波数が可聴周波数範囲全体を含む、前述の実施形態のいずれかに記載の、および実施形態３１または３２、３１および３２の機能を備えるミュージックカラー（１０）。
【０１１１】
３４．音量制御器（６０）が外部装置内の音声の音量に影響を与えることなく振動パッド（２０）上の振動の強度を調節するように構成される、前述の実施形態のいずれかに記載の、および実施形態２９の機能を備え、実施形態３１または３２のいずれかに記載のミュージックカラー（１０）。
［独立した音声チャネルおよび指向性音］
【０１１２】
３５．後方左側振動パッド（２０）および後方右側振動パッド（２０）が互いに独立して制御される、前述の実施形態のいずれかに記載のミュージックカラー（１０）。
【０１１３】
３６．前方左側振動パッド（２０）がミュージックカラー（１０）の他の振動パッド（２０）から独立して制御される、前述の実施形態のいずれかに記載の、および実施形態４の機能を備えるミュージックカラー（１０）。
【０１１４】
３７．前方右側振動パッド（２０）がミュージックカラー（１０）の他の振動パッド（２０）から独立して制御される、前述の実施形態のいずれかに記載の、および実施形態６の機能を備えるミュージックカラー（１０）。
【０１１５】
３８．少なくとも２つの振動パッド（２０）を独立制御することによって多方向視点の振動を作り出す、前述の実施形態のいずれかに記載の、および実施形態３５、３６、または３７の機能を備える、ミュージックカラー（１０）。
［バランス制御］
【０１１６】
３９．ミュージックカラー（１０）が備える振動パッド（２０）の第１の群が作り出す振動の強度を振動パッド（２０）の第２の群に対して調節するように構成されるバランス制御ボタン（９０）をさらに含む、前述の実施形態のいずれかに記載のミュージックカラー（１０）。
【０１１７】
４０．振動パッド（２０）の第１の群がミュージックカラー（１０）の後方に位置する振動パッド（２０）を含み、振動パッド（２０）の第２の群がミュージックカラー（１０）の前方に位置する振動パッド（２０）を含む、前述の実施形態に記載のミュージックカラー（１０）。
【０１１８】
４１．振動パッド（２０）の第１の群がミュージックカラー（１０）の左側に位置する振動パッド（２０）を含み、振動パッド（２０）の第２の群がミュージックカラー（１０）の右側に位置する振動パッド（２０）を含む、前述の実施形態のいずれかに記載の、および実施形態３９の機能を備える、ミュージックカラー（１０）。
【０１１９】
４２．バランス制御ボタン（９０）が２つまたは４つのボタン（９０）を含む、前述の実施形態のいずれかに記載の、および実施形態３９の機能を備える、ミュージックカラー（１０）。
［その他の機能］
【０１２０】
４３．少なくとも１つのバッテリ（５０）をさらに含む、前述の実施形態のいずれかに記載のミュージックカラー（１０）。
【０１２１】
４４．ミュージックカラー（１０）の電源のオンまたはオフの切り替えを行うように構成される電源ボタン（８０）をさらに含む、前述の実施形態のいずれかに記載のミュージックカラー（１０）。
【０１２２】
４５．音声信号が作り出す振動を知覚する装置としてミュージックカラー（１０）を使用する、前述の実施形態のいずれかに記載のミュージックカラー（１０）。
【０１２３】
４６．ミュージックカラー（１０）をマッサージ装置として使用する、前述の実施形態のいずれかに記載のミュージックカラー（１０）。
【０１２４】
以下で、接触プレートの実施形態を考察する。これらの実施形態は頭文字Ｐで略され、Ｐの後に数字が続く。本明細書で接触プレートの実施形態を参照するときには必ず、これらの実施形態を指す。
【０１２５】
［Ｐ１］
好ましくはミュージックカラー（１０）用の、より好ましくは振動パッド（２０）用の接触プレートであって、接触プレート（３００）を振動パッド（２０）に取り付けるように構成される、第１の面（３１０）と、振動パッド（２０）と人体との間で接触を促進するように構成される第２の凸状面（３５０）および／または第２の凹状面（３７０）のうち少なくとも１つと、少なくとも１つの孔（３２０）と、を含む接触プレート（３００）。
【０１２６】
［Ｐ２］
円形外形または楕円外形を含む、前述の実施形態に記載の接触プレート（３００）。
【０１２７】
［Ｐ３］
２０ｍｍから８０ｍｍの範囲の、好ましくは３０ｍｍから５５ｍｍの範囲の外径を含む、前述の接触プレートの実施形態のいずれかに記載の接触プレート（３００）。
【０１２８】
［Ｐ４］
接触プレートの厚さが０．５ｍｍから１５ｍｍの範囲、好ましくは２ｍｍから６ｍｍの範囲である、前述の接触プレートの実施形態のいずれかに記載の接触プレート（３００）。
【０１２９】
［Ｐ５］
凸状接触プレート（３００）の外側部分から凸状接触プレート（３００）の中心に向かって凸状接触プレート（３００）の高さが増すため、凸状面（３５０）が作り出される、前述の接触プレートの実施形態のいずれかに記載の接触プレート（３００）。
【０１３０】
［Ｐ６］
凹状接触プレート（３００）の高さが、少なくとも１つの方向に従って凹状接触プレート（３００）の外側部分から凹状接触プレート（３００）の中心に向かって減少し、少なくとも１つの他の方向に従って凹状接触プレート（３００）の外側部分から凹状接触プレート（３００）の中心に向かって一定になる、前述の接触プレートの実施形態のいずれかに記載の接触プレート（３００）。
【０１３１】
［Ｐ７］
少なくとも１つの孔（３２０）の面積の合計が接触プレート（３００）の総面積の少なくとも２％、好ましくは少なくとも５％、および８％など最大でも１０％である、前述の接触プレートの実施形態のいずれかに記載の接触プレート（３００）。
【０１３２】
［Ｐ８］
孔（３２０）は、人体と接触プレート（３００）との接触面の隔離を減らすように、好ましくは接触プレート（３００）により接触した人体の皮膚との間で汗の発生を減らすように、および／または換気が高まるように構成される、前述の接触プレートの実施形態のいずれかに記載の接触プレート（３００）。
【０１３３】
［Ｐ９］
孔３２０は、接触プレート（３００）と振動パッド（２０）間で閉じ込められた空気の圧力を下げるように構成される、前述の接触プレートの実施形態のいずれかに記載の接触プレート（３００）。
【０１３４】
［Ｐ１０］
第１の面（３１０）が好ましくは接着で振動パッド（２０）に堅固に装着することができる、前述の接触プレートの実施形態のいずれかに記載の接触プレート（３００）。
【０１３５】
［Ｐ１１］
第２の凸状面（３５０）は、接触プレート（３００）と人体との間の接触面が角度に依存しなくなるように構成される、前述の接触プレートの実施形態のいずれかに記載の接触プレート（３００）。
【０１３６】
［Ｐ１２］
第２の凹状面（３７０）が接触プレート（３００）と首などの円弧状の人体領域との間の接触面を最大限に高められるように構成される、前述の接触プレートの実施形態のいずれかに記載の接触プレート（３００）。
【０１３７】
以下で、システムの実施形態を考察する。これらの実施形態は頭文字Ｓで略され、Ｓの後に数字が続く。本明細書でシステムの実施形態を参照するときには必ず、これらの実施形態を指す。
【０１３８】
［Ｓ１］
ミュージックカラー（１０）を着用した人の首の後部を接触させる少なくとも２つの後方振動パッド（２０）を含み、実施形態１から４６のいずれに記載のミュージックカラー（１０）と、ミュージックカラー（１０）の振動パッド（２０）に取り付けられ、接触プレートの実施形態のいずれに記載の少なくとも１つの接触プレート（３００）と、を備え、接触プレートが振動パッド（２０）とミュージックカラー（１０）を着用した人の体との間に接触を促進するように構成される、システム。
【０１３９】
［Ｓ２］
後方振動パッド（２０）に取り付けられる接触プレート（３００）が第２の凹状面（３７０）を含む、前述の実施形態に記載のシステム。
【０１４０】
［Ｓ３］
第２の凹状面（３７０）が接触プレート（３００）と、ミュージックカラー（１０）を着用した人の首の後部との間の接触面を最大限に高める、より好ましくは接触プレート（３００）と、僧帽筋（２０７）の上部線維を含む軟組織との間の接触面を最大限に高める、前述の実施形態に記載のシステム。
【０１４１】
［Ｓ４］
ミュージックカラー（１０）が実施形態５または７のいずれかの機能を含み、前方振動パッド（２０）に取り付けられる接触プレート（３００）が第２の凸状面（３５０）を含む、前述のシステムの実施形態のいずれかに記載のシステム。
【０１４２】
［Ｓ５］
第２の凸状面（３５０）が接触プレート（３００）の形状を人（１０）の胸部の形状、より好ましくは大胸筋を含む、さらにより好ましくは大胸筋の鎖骨部を含む鎖骨（２０５）の下方の軟組織の形状と適合するように構成される、前述の実施形態に記載のシステム。
【０１４３】
［Ｓ６］
ミュージックカラー（１０）がミュージックカラー（１０）を着用した人の鎖骨（２０５）との接触を回避するように構成される、前述のシステムの実施形態のいずれかに記載のシステム。
【０１４４】
［Ｓ７］
ミュージックカラー（１０）がミュージックカラー（１０）を着用した人の肩および胸部に重みをかけることによって鎖骨（２０５）をまたぐように構成される、前述のシステムの実施形態のいずれかに記載のシステム。
【０１４５】
［Ｓ８］
人体と接触プレート（３００）との間の接触面が角度に依存しないように第２の凸状面（３５０）を構成する、前述の実施形態に記載のシステム。
【０１４６】
［Ｓ９］
孔（３２０）は、人体と接触プレート（３００）との接触面の隔離を減らすように、好ましくは接触プレート（３００）近傍で接触した人体の皮膚で汗の発生を減らすように構成される、前述のシステムの実施形態のいずれかに記載のシステム。
【０１４７】
［Ｓ１０］
音声信号が作り出す振動を知覚する装置としてミュージックカラー（１０）を使用する、前述のシステムの実施形態のいずれかに記載のシステム。
【０１４８】
［Ｓ１１］
ミュージックカラー（１０）をマッサージ装置として使用する、前述のシステムの実施形態のいずれかに記載のシステム。
【図面の簡単な説明】
【０１４９】
【図１】本発明に係るミュージックカラーの概略上面図を示す。
【０１５０】
【図２ａ】ミュージックカラーを着用した人の正面図を示す。
【図２ｂ】ミュージックカラーを着用した人の正面図を示す。
【０１５１】
【図３】ミュージックカラーを着用した人の側面図を示す。
【０１５２】
【図４】ミュージックカラーの調節要素の詳細図を示す。
【０１５３】
【図５】ミュージックカラーの摺動機構の上面図を示す。
【０１５４】
【図６ａ】鎖骨と接触しないように構成されるミュージックカラーの別の実施形態を示す。
【図６ｂ】鎖骨と接触しないように構成されるミュージックカラーの別の実施形態を示す。
【図６ｃ】鎖骨と接触しないように構成されるミュージックカラーの別の実施形態を示す。
【０１５５】
【図７】可撓性延長部を含むミュージックカラーの別の実施形態を示す。
【０１５６】
【図８ａ】ミュージックカラーと共に使用される凸状接触プレートを示す。
【図８ｂ】ミュージックカラーと共に使用される凸状接触プレートを示す。
【図８ｃ】ミュージックカラーと共に使用される凸状接触プレートを示す。
【０１５７】
【図９ａ】ミュージックカラーと共に使用される凹状接触プレートを示す。
【図９ｂ】ミュージックカラーと共に使用される凹状接触プレートを示す。
【図９ｃ】ミュージックカラーと共に使用される凹状接触プレートを示す。
【図９ｄ】ミュージックカラーと共に使用される凹状接触プレートを示す。
【０１５８】
【図１０】ミュージックカラーの様々な実施形態で実行された実験結果を示す。
【発明を実施するための形態】
【０１５９】
以下に、図を参照しながら本発明の例示的な実施形態を記載する。本発明の範囲を制限することなく、本発明をさらに理解するために、これらの例示的な実施形態の例を提供する。
【０１６０】
以下の記載において、一連の機能および／または段階を説明する。文脈が要求する場合を除き、機能および段階の順序は、得られた形体およびその効果にとって重要ではないことが当業者には理解されよう。さらに、機能および段階の順序に関わらず、段階間の時間遅延の有無が記載の段階のうちのいくつかの段階、または全ての段階間に存在し得ることは当業者には明らかであろう。
【０１６１】
図１は、本発明に係るミュージックカラー１０の概略上面図を示す。分かりやすくするために、ミュージックカラー１０の要素を矩形または円形で示す。つまり、ミュージックカラー１０の要素は構成要素のレベルに分離される。したがって、文脈が指定しない限り、ミュージックカラー１０の要素の形状は、本図で提供される各形状に限定されない。
【０１６２】
一実施形態では、ミュージックカラー１０はメインフレーム１００を含むことができる。メインフレーム１００は、ミュージックカラー１０を人の首の周りに着用し易くするように構成された実質的にＵ字型などの湾曲形状を含む。メインフレーム１００は、首の後部の湾曲部に類似する湾曲部を含むことができる。メインフレーム１００は、少なくとも１２０°、好ましくは少なくとも１８０°および最大でも２４０°の角度で首を包囲することができ、首の後部を包囲するのが好ましい。つまり、メインフレーム１００によって包囲されない首の部分は、首の前方部である。簡単に言えば、ミュージックカラー１０は、首の前方部がオープンになるようにカラーを首に包囲する。
【０１６３】
左側では、メインフレーム１００は、摺動機構８６０を介して、左側部分１０１とも呼ぶことができる左側振動部１０１と接合される。右側では、メインフレーム１００は、別の摺動機構８６０を介して、右側部分１０２とも呼ぶことができる右側振動部１０２と接合される。本文章全体を通じて一貫した参照システムにするために、左側部分１０１を含むミュージックカラー１０の部分はミュージックカラー１０の左側部分であり、右側部分１０２を含むミュージックカラー１０の部分はミュージックカラー１０の右側部分である。つまり、左側部分１０１は右側部分１０２の左側にあり、右側部分１０２は左側部分１０１の右側にある。したがって、要素Ａが別の要素Ｂよりも左側部分１０１に近い場合、その要素Ａは要素Ｂの左側にあり、要素Ｂは要素Ａの右側にあり、または、要素Ａはミュージックカラー１０の左側部分にあり、要素Ｂはミュージックカラー１０の右側部分にある。さらに、左側部分１０１および右側部分１０２は、ミュージックカラー１０の前方にあると呼ばれることになり、メインフレーム１００は、ミュージックカラー１０の後方または後部にあると呼ばれることになる。つまり、左側部分１０１および右側部分１０２は、ミュージックカラー１０の最前面部であり、メインフレーム１００は、ミュージックカラー１０の最後面部の大部分である。このような参照システムを使用すると、例えば、左側部分１０１に位置する振動パッド２０は左側前方振動パッド２０または前方左側振動パッド２０と呼ぶことができる。簡単に言えば、人がミュージックカラー１０を着用する場合、次いで左側部分１０１が人の左側にあり得て、右側部分１０２が人の右側にあり得る。
【０１６４】
左側振動部１０１は、前方左側振動パッド２０または左側前方振動パッド２０とも呼ぶことができる振動パッド２０を含み得る。振動パッド２０は、電気信号に適切に接続された場合に振動するように構成される装置になり得る。つまり、電気信号が振動パッド２０に供給されると、電気信号が振動パッド２０を振動させることができ、または振動パッド２０に振動を作らせることができ、すなわち振動パッド２０のある部分が振動する場合がある。例えば、振動パッド２０は、コイルなどの円形状の導電要素近傍に配置される磁石を含み得る。コイルは電気信号の伝達を可能にするワイヤと接続される。コイルを金属の一片に巻き付けることができる。電気信号がコイルに印加されると、コイルによって電磁場が作り出され、コイルが電磁石に変わる。電気信号の変動がコイルの電磁場の変動を生じさせ、次いで、コイル近傍に配置される磁石の存在と相まってコイルを振動させることができる。この動作方法はスピーカーの動作に類似しており、すなわち振動パッド２０は、スピーカーが動作するのと類似の方法で振動を作り出す。振動パッド２０の一例は、オーディオパネル励振器であり得るウ。
【０１６５】
ミュージックカラー１０はさらに、音量制御器６０を含むことができる。音量制御器６０は、図１で＋表示および−表示で示されるように、少なくとも２つのボタンを含むことができ、ボタンを作動すると、＋ボタン６０は振動パッド２０に供給される電気信号の振幅を増加させ、−ボタン６０は振動パッド２０に供給される電気信号の振幅を減少させる。図１で提供される表示は単に例示するためであることに留意されたい。音量制御器６０は、その他の表示を含んでもよく、または表示を全く含まなくてもよい。さらに、音量制御器６０は別の方法で配列してもよい。さらに、音量制御器は、左側部分１０１内、右側部分１０２内、またはメインフレーム１００内など、ミュージックカラー１０内のいたるところに配置することができる。一実施形態では、音量制御器６０はミュージックカラー１０の前方部に配置することができ、結果ミュージックカラー１０を着用したユーザは容易に音量制御器にアクセスできるようになる。
【０１６６】
低振幅の電気信号は、高振幅の電気信号ほど振動パッド２０を振動させない可能性がある。したがって、音量制御器６０は、振動の強度、つまり振動の振幅を制御することができる。音量制御器６０は、触れるおよび／または押したりするとスイッチが入るボタンであり得る。
【０１６７】
いくつかの実施形態では、音量制御器６０はさらに、低音レベル制御器６０とも呼ぶことができる。このような実施形態では、低音レベル制御器６０は、低音ブーストまたは低音レベルを制御するように構成することができる。つまり、低音レベル制御器６０は、重低音または低音とも呼ばれる低周波数音のレベルまたは振幅を調節するように構成することができる。いくつかの実施形態では、低音レベル制御器６０（本文章内で音量制御器６０とも呼ばれる）は、１６Ｈｚから２５０Ｈｚなど、２５６Ｈｚよりも低い周波数の電気信号（または音）の振幅を調節することができる。
【０１６８】
いくつかの実施形態では、振動パッドに供給される電気信号は、すなわち、携帯電話、ｍｐ３プレーヤー、スマートフォン、ラジオ、音楽プレーヤーなど、ミュージックカラー１０と接続される外部装置によって作り出されるため、フィルタをかけなくてもよい。つまり、このような実施形態では、振動パッド２０に供給される電気信号は、すなわち２０Ｈｚから２００００Ｈｚの可聴周波数範囲全体を含むことができる。その他のいくつかの実施形態では、振動パッドに供給される電気信号にフィルタをかけてもよい。したがって、予め設定された周波数範囲、好ましくは２５０Ｈｚよりも低い周波数（低音とも呼ばれる）を備える信号だけを振動パッド２０に供給することができる。上記の実施形態のいずれかにおいて、振動パッド内に振動を作り出す最も効果的な信号は、０Ｈｚから２５０Ｈｚ範囲内の信号など、低周波数信号（すなわち重低音）である。この理由は、振動の周波数が高くなるほど、人間はこのような振動を触覚で見分けることが困難になるからである。
【０１６９】
したがって、ミュージックカラー１０が低音レベル制御器６０を含むことは有益になり得る。なぜなら低音レベル制御器６０により、ミュージックカラー１０のユーザは振動の強度すなわち重低音の振幅またはレベル、もしくは２５０Ｈｚよりも低い周波数を備える信号などの低周波数信号を直接および単独で調節することが可能となるためである。低音レベルを上げることによりユーザが感じるこうした振動感覚を高めることができ、一方、低音レベルを下げることによりミュージックカラー１０のユーザが感じるこうした振動感覚を和らげることができる。
【０１７０】
いくつかの実施形態では、ミュージックカラーはさらに外部のスピーカーまたはヘッドホンと接続され、低音レベル制御器６０は、外部のスピーカーまたはヘッドホンの音または音の振幅に影響を与えることなく振動の強度、すなわち振動パッド２０の低音レベルを調節するように構成することができる。
【０１７１】
右側部分１０２は、前方右側振動パッド２０または右側前方振動パッド２０とも呼ぶことができる別の振動パッド２０を含み得る。さらに、右側部分１０２は有線コネクタ７０を含み得る。有線コネクタ７０は、オーディオケーブルなどの外部ワイヤをミュージックカラー１０と接続するように構成することができる。一実施形態では、有線コネクタ７０は、外部装置との有線接続を容易に作り出し、結果ミュージックカラー１０と外部装置との間にデータおよび／または電気信号を伝達することができるように構成することができる。一実施形態では、有線コネクタ７０は、オーディオケーブルを介してミュージックカラー１０を外部装置と接続するヘッドホン差し込み口７０を含み得る。いくつかの実施形態では、有線コネクタ７０は、振動パッド２０に供給する電気信号を外部装置に出力するように構成する。このような実施形態では、外部装置は、例えば、ヘッドホン、スピーカーまたは外部振動パッドであり得る。別の実施形態では、有線コネクタ７０は、電気信号を受信するように構成することができる。このような実施形態では、外部装置は、例えば、ミュージックカラー１０による使用に適した電気信号を作り出す携帯電話、ｍｐ３デバイス、スマートフォン、ラジオ、またはその他のあらゆるデバイスであり得る。ミュージックカラー１０による使用に最適な電気信号は、振動パッド２０および／または増幅器モジュール３０の電力および周波数制約を少なくとも果たす電気信号になり得る。例えば、振動パッド２０の例示的な種類は、２ワットの連続電力定格および２０Ｈｚから２００００Ｈｚ範囲の周波数を備える電気信号を処理することができ、このような例では、ミュージックカラー１０の最適な電気信号は、２ワット以下の連続電力定格を有し、２０ヘルツから２０キロヘルツの周波数範囲内にある信号である。さらに別の実施形態では、有線コネクタ７０は、電気信号を送受信するように構成することができる。さらに、有線コネクタ７０は、左側部分１０１内またはメインフレーム１００内など、ミュージックカラー１０内のいたるところに配置することができる。
【０１７２】
一実施形態では、振動パッド２０に供給される電気信号は、電気信号とも呼ぶことができ、電気信号である音声信号であり得て、搬送波信号は音楽または音などの音声データによって変調される。このような実施形態では、振動パッド２０は、音楽または音などの音声信号の周波数成分に従って振動することになる。
【０１７３】
ミュージックカラー１０は、ミュージックカラー１０の後部内にある、より正確にはメインフレーム１００内にある後方振動パッド２０または後部振動パッド２０とも呼ぶことができる２つ以上の振動パッド２０を含み得る。したがって、一実施形態では、ミュージックカラー１０は、４つの振動パッド２０、前方に２つおよび後部に２つを含むことができ、より正確には、左側部分１０１（すなわち、前方左側振動パッド２０）に１つと、右側部分１０２（すなわち、前方右側振動パッド２０）に１つと、振動パッド２０の１つがミュージックカラー１０の左側部分（すなわち、後方左側振動パッド２０）内に存在し、もう１つがミュージックカラー１０の右側部分（すなわち、後方右側振動パッド２０）内に存在するようなメインフレーム１００の後部に２つと、を含むことができる。別の実施形態では、ミュージックカラー１０は、ミュージックカラー１０の前方に位置する２つの振動パッド２０、より正確には、左側部分１０１に１つと、右側部分１０２にもう１つと、を含むことができる。さらに別の実施形態では、ミュージックカラー１０は、メインフレーム１００の後部に位置する２つの振動パッド２０を含むことができる。別の実施形態では、ミュージックカラー１０は、以下の位置、例えばミュージックカラー１０の前方左側、前方右側、後方左側、後方右側のあらゆる組み合わせで配置される少なくとも２つの振動パッド２０を含むことができる。
【０１７４】
さらに、ミュージックカラー１０は、無線コネクタ４０を含み得る。無線コネクタ４０は、外部装置との無線接続を作り出すように構成することができる。したがって、ミュージックカラー１０および外部装置は、ミュージックカラー１０および外部装置の両方で知ることができる無線データ転送プロトコルを介してデータを無線で転送することができる。具体的な例では、無線コネクタ４０はＢｌｕｅｔｏｏｔｈデバイスであり得て、ミュージックカラー１０は、Ｂｌｕｅｔｏｏｔｈプロトコルを通じてＢｌｕｅｔｏｏｔｈを有する外部装置と接続することができる。したがって、このような具体的な例では、ミュージックカラー１０および外部装置は両方とも、この２つの装置間に無線接続を確立および維持し、この２つの装置間でデータ交換を行うためのＢｌｕｅｔｏｏｔｈプロトコルを実行できるＢｌｕｅｔｏｏｔｈモジュールを含む。
【０１７５】
ミュージックカラー１０は増幅器モジュール３０を含むことができる。増幅器モジュール３０は、無線コネクタ４０および／または有線コネクタ７０が受信する電気信号を増幅するように構成される電子回路であり得る。ミュージックカラー１０が無線コネクタ４０を介して外部装置と無線接続されるときに増幅器モジュール３０の役割が特に有益となる。このような場合、受信した電気信号は、振動パッド２０を駆動させるのには不十分になり得る極めて低い電力を備える場合がある。したがって、電気信号の電力が振動パッド２０を駆動することができるようにこの電気信号の電力を望ましいレベルにまで上げるのに増幅器モジュール３０を使用する。有線コネクタ７０を通じて有線接続が確立される際に振動パッド２０に供給する十分な電力を外部装置が提供しない場合には、依然として増幅器モジュール３０の役割は有益になり得る。これは通常、外部装置が例えばスマートフォンである場合にあてはまる場合がある。簡単に言えば、無線コネクタ４０または有線コネクタ７０が受信する電気信号は、入力として増幅器モジュール３０に供給される。電気信号が、最小電力閾値を下回る電力、または最大電力閾値を上回る電力を含む場合、増幅器モジュール３０は、電気信号の電力が最小電力閾値および最大電力閾値によって定義される区間の範囲に入るように、電気信号の電力を増幅することができる。最小電力閾値および最大電力閾値は、例えば、振動パッド２０の製造業者によって定義することができる。最小電力閾値間の平均電力を備える電気信号、および最大電力閾値を下回るピーク電力を備える電気信号は、振動パッド２０を正常動作で駆動することができる。さらに、増幅器モジュール３０は、最小周波数閾値を下回る周波数、または最大周波数閾値を上回る周波数を含む電気信号を遮断する（すなわち、電気信号の振幅をほぼゼロにまで下げる）ことができる（すなわち、増幅器モジュール３０が周波数帯域フィルタとして動作することができる）。別の実施形態では、増幅器モジュール３０は、最小周波数閾値よりも低い周波数を含む電気信号だけを遮断することができる（すなわち、増幅器モジュール３０が周波数高域フィルタとして動作することができる）。好ましい実施形態では、増幅器モジュール３０は、最大周波数閾値よりも高い周波数を含む電気信号を遮断するように構成することができる（すなわち、増幅器モジュール３０が低域フィルタとして動作することができる）。このような実施形態では、増幅器モジュール３０は、２５０Ｈｚよりも高い周波数を含む電気信号を遮断することができる。
【０１７６】
いくつかの実施形態では、電力増幅器３０は増幅器モジュール３０であり得て、すなわち、電力増幅器３０は、可聴範囲内の信号（すなわち、２０Ｈｚから２００００Ｈｚまでの周波数を備える信号）、好ましくは低音または重低音などの低周波数信号、すなわち２５０Ｈｚまでの周波数を備える信号を増幅することができる。さらに、増幅器モジュール３０の電力利得係数は、低音レベル制御器とも呼ばれる音量制御器６０によって調節することができる。つまり、音量制御器６０の「＋」は、増幅器モジュール３０の電力利得係数を上げることができる。これは、振動パッド２０が作り出す振動の強度、およびしたがってミュージックカラー１０のユーザが感じるこうした振動感覚を高めることができる。音量制御器６０の「−」は、増幅器モジュール３０の電力利得係数を下げることができる。これは、振動パッドが作り出す振動の強度を下げ、およびしたがってミュージックカラー１０のユーザが感じるこうした振動感覚を和らげることができる。増幅器の電力利得係数は、入力電力に対する出力電力の比として定義される。
【０１７７】
いくつかの実施形態では、増幅器モジュール３０の出力は、単独で振動パッド２０に接続することができる。さらに、上記のように、音量制御器６０は、増幅器モジュール３０の電力利得係数を制御することができる。このような実施形態では、増幅器モジュールの出力は振動パッドに単独で接続される、すなわち、増幅器モジュールの出力は有線コネクタ７０または無線コネクタ４０を介してミュージックカラー１０に接続される外部装置に接続されない。そのため、このことは、有線コネクタ７０または無線コネクタ４０を介してミュージックカラー１０に接続される外部装置に供給される信号に影響を与えることなく、振動パッド２０上の音量または振動の強度を調節することができることを意味する。さらに、ミュージックカラー１０はバッテリ５０を含む。バッテリ５０は、振動パッド２０、増幅器３０、および／または無線コネクタ４０を正常に動作させるための電源として構成される。
【０１７８】
ミュージックカラー１０はさらに、ミュージックカラー１０の形状を調節する調節要素８１０および摺動機構８６０を含み得る。図４および図５をより詳細に参照されたい。
【０１７９】
図２ａおよび図２ｂは、人がミュージックカラー１０を使用する様子を示す。図２ａはミュージックカラー１０の概略図を示し、どのようにミュージックカラー１０を人の首の周りに巻き付けられるかを主な焦点としている。図２ｂは人が着用したミュージックカラー１０の概略図を示し、ミュージックカラー１０を人体に位置決めすることを主な焦点としている。
【０１８０】
ミュージックカラー１０は首周りに着用されるように構成される。好ましい実施形態では、ミュージックカラー１０は、少なくとも１２０°、好ましくは少なくとも１８０°および最大でも２４０°で首を包囲することができる。つまり、ミュージックカラー１０は、少なくとも１２０°、好ましくは少なくとも１８０°および最大でも２４０°の角度で首との接触を作り出すことができる（すなわち、好ましくは首周りの少なくとも半分がミュージックカラー１０と接触できる）。簡単に言えば、ミュージックカラー１０は、首とほぼ同じカラーを支持し、首の前方がオープンになるように構成される。言い換えれば、ミュージックカラー１０は開ループ形状を含み得て、オープン部分はミュージックカラー１０の前方に対応する。すなわち、ユーザがミュージックカラー１０を着用した場合、ミュージックカラー１０の開ループ形状のオープン部分はミュージックカラー１０を着用した人の首の前方部に位置することになる。
【０１８１】
このような実施形態では、メインフレーム１００の後部（より好ましくは後方振動パッド２０）は、ミュージックカラー１０を着用した人の首の後部の軟組織と接触できる。さらに、左側振動部１０１（より好ましくは前方左側振動パッド２０）、および右側振動部１０２（より好ましくは前方右側振動パッド２０）は、人の胸郭に位置し得て、すなわち、人の胸部の軟組織と接触できる。軟組織と接触することは、振動パッド２０が直接軟組織に触れることを必ずしも意味するわけではないことを理解されたい。ミュージックカラー１０を着用する人のローブの上からまたは下からミュージックカラー１０を着用してもよい。ミュージックカラー１０をローブの下に着用する場合、次いで振動パッド２０は軟組織（より正確には皮膚）と直接接触する。ミュージックカラー１０をローブの上に着用する場合、次いでミュージックカラー１０はローブを介して軟組織と接触する。すなわち、ミュージックカラー１０は軟組織と間接接触する。分かりやすくするために、文脈に別段の定めがないかぎり、軟組織と接触する振動パッド２０を参照する場合はいつでも、軟組織との（より正確には人の皮膚との）直接接触または間接接触を推測する必要がある。筋肉など人体の部分と接触するミュージックカラー１０を参照する場合に同様の例示がなされ得る。このような場合、振動パッド２０を筋肉と間接接触することを推測する必要がある。
【０１８２】
このような実施形態では、振動パッド２０が振動したとき、その振動は、振動パッドと胸部および首との間に接触が実現されれば、人の胸部および首の軟組織に伝達される。つまり、人は胸部および首の軟組織から振動を感じることができる。好ましい実施形態では、振動パッド２０を流れる電気信号が音声信号である場合、振動パッド２０は音声信号内に含まれる音声または音楽もしくは音の周波数に従って振動することができる。ミュージックカラー１０を着用する人は、人の胸部および首の軟組織内の振動から音楽を感じることができる。この感覚は低音など低周波数の音楽の場合に特に高くまたは強くなる。なぜならこの振動は振動パッド２０から人体の軟組織まで容易に伝達できるからである。それでも、高音など高周波数も同様に知覚することができる。
【０１８３】
ミュージックカラー１０は聴力を必要としないので、聴覚障害のある人々が使用する場合に有益となり得る。なぜなら聴覚障害のある人々は胸部および首内の軟組織の振動から音楽を知覚することができるからである。さらに、ミュージックカラー１０は、鼓膜穿孔に苦しむ人々が使用する場合に有益となり得る。なぜなら鼓膜穿孔に苦しむ人々は骨伝導を通じて音楽を聞くことができるからである。そのため、振動パッド２０から人体の軟組織まで伝達される振動は同様に骨によって受信され、次いでその振動は内耳に伝達でき、そうした人々はミュージックカラー１０によって伝達される音または音楽もしくは音声または声の一定の周波数を知覚できる可能性がある。
【０１８４】
ミュージックカラー１０は、ミュージックカラー１０の前方部が鎖骨２０５（すなわち鎖骨）の下方に位置するように構成することができる。つまり、左側部分１０１に位置する振動パッド２０（すなわち、前方左側振動パッド２０）は、人の左側鎖骨２０５の下方に位置するため、胸部の右側部分、より好ましくは右側大胸筋、より具体的には右側大胸筋の鎖骨部筋肉部分と接触できる。右側部分１０２に位置する振動パッド２０（すなわち、前方右側振動パッド２０）は、右側鎖骨２０５の下方に位置し、胸部の左側部分、より好ましくは左側大胸筋、より具体的には左側大胸筋の鎖骨部筋肉部分に接触できる。一方、メインフレーム１００の後部に位置する振動パッド２０は、僧帽筋の上部線維と接触することができる。すなわち、後方左側振動パッド２０は僧帽筋２０７の上部線維の左側部分上方の皮膚と接触することができ、後方右側振動パッド２０は僧帽筋２０７の上部線維の右側部分上方の皮膚と接触することができる。このように振動パッド２０を人体に位置決めすることは、人体の軟組織を通る振動感覚を高め、さらにより十分な楽しみと、より望ましいエクスペリエンスとを創出することができるという点で有益である。
【０１８５】
図３は、ミュージックカラー１０を着用した人の側面図を示す。図３から参照できるように、ミュージックカラー１０の前方部はミュージックカラー１０を着用する人の胸部に位置する。より具体的には、前方振動パッド２０（すなわち、左側部分１０１および右側部分１０２に位置する振動パッド２０）は、鎖骨２０５の下方に位置し、胸部の軟組織と接触することができ、さらにより具体的には、大胸筋の鎖骨部と接触できる。一方、ミュージックカラー１０の後部に位置する振動パッド２０（すなわち、メインフレーム１００に位置する振動パッド２０）は、首の後部の軟組織、より具体的には、僧帽筋２０７の上部線維と接触できる。
【０１８６】
好ましい実施形態では、振動パッド２０が作り出す振動を人体の軟組織に伝達するためには、図３で示されるように、ミュージックカラー１０が人体と接触し続けることが都合がよい。一実施形態では、ミュージックカラー１０の重さであれば、ミュージックカラーは人体に接触し続けることができる。別の実施形態では、ミュージックカラー１０の形状は、ミュージックカラー１０が人体との接触を持続できるようにユーザによって構成される、またはユーザによって構成され得る。例えば、ミュージックカラー１０は図３で示されるように首および肩を周回できるが、これは結果としてミュージックカラー１０が可動できる自由度を低下させる。このように、ミュージックカラー１０は、より頑丈に人体に位置決めされる。さらに別の実施形態では、ミュージックカラー１０は、ミュージックカラー１０をよりきつく人体と接触させ続けるストラップ（図示なし）を含み得る。ストラップは左側部分１０１と右側部分１０２との間に設けることができる。別の実施形態では、ストラップは、左側部分１０１とメインフレーム１００との間、同様に右側部分１０２とメインフレーム１００との間に設けることができる。このような実施形態では、図３で示されるように、ミュージックカラー１０が人体の両肩上方および首周りに位置しながら、ストラップは腕の下方を通ることになろう。さらに、ストラップの長さは調節することができる。
【０１８７】
図４は、調節要素８１０とも呼ぶことができる形状調節要素８１０の詳細図を示す。メインフレーム１００は２つの部分、左側部分１００Ｌと右側部分１００Ｒ、に分けられる。メインフレーム１００の左側部分１００Ｌは、左側振動部１０１から左側制限端８０１までのメインフレーム１００部分を含む。メインフレーム１００の右側部分１００Ｒは、右側振動部１０２から右側制限端８０１'までのメインフレーム１００部分を含む。メインフレーム１００の左側部分および右側部分は調節要素８１０を介して接合することができる。
【０１８８】
調節要素８１０は、ミュージックカラー１０の長さおよび形状のうち少なくとも１つを調節するように構成される。様々な人々が異なる形状およびサイズの首、肩、および胸部を備える可能性があるという点で、この調節要素は有益になり得る。さらに、様々な人々は、ミュージックカラー１０を着用する際にそれぞれ個人的嗜好を有する場合がある。例えば、首、肩、または胸部周りでミュージックカラー１０をよりきつく締めることを好む可能性がある人もいれば、首、肩、または胸部周りでミュージックカラー１０を緩めにすることを好む可能性がある人もいる。さらに、調節要素８１０は好ましい実施形態を実現しやすくする可能性があり、前方振動パッド２０は、鎖骨２０５の下方に位置し、胸部の軟組織、より具体的には大胸筋と直接的または間接的に接触し、後方振動パッド２０は、首の軟組織、より具体的には僧帽筋２０７の上部線維と直接的または間接的に接触することができる。例えば、肩、首、および胸部の幅が広い人は、ミュージックカラー１０の長さを伸ばすことを好む可能性があり、その人の嗜好または上記の好ましい実施形態に従ってミュージックカラー１０がその人の首、肩および胸部にうまくフィットするようにミュージックカラー１０の形状を調節することができる。
【０１８９】
調節要素８１０は延長フレーム８１５を含み得る。延長フレーム８１５は、メインフレーム１００の左側部分および／または右側部分の内側に摺動することができる。一実施形態では、メインフレーム１００は内側から空になってもよく、延長フレーム８１５がメインフレームの内側に摺動可能にできる。別の実施形態では、延長フレーム８１５はメインフレーム１００に沿って摺動できる。さらに別の実施形態では、延長フレーム８１５は内側から空になってもよく、メインフレーム１００が延長フレームの内側に摺動可能にできる。簡単に言えば、延長フレーム８１５およびメインフレーム１００は、ミュージックカラー１０の周囲長を調節できるように互いに摺動するように構成される。延長フレーム８１５は、少なくとも３０ｍｍ、好ましくは少なくとも４０ｍｍ、および最大でも８０ｍｍ、好ましくは最大でも６０ｍｍの長さを有することができる。したがって、メインフレームは、少なくとも３０ｍｍ、好ましくは少なくとも４０ｍｍ、および最大でも８０ｍｍ、好ましくは最大でも６０ｍｍの長さで延長することができる。
【０１９０】
延長フレーム８１５は、第１の装着リンク８１７および第２の装着リンク８１７'を含み得る。第１の装着リンク８１７および第２の装着リンク８１７'は、互いに装着することはできず、または互いに接触することもできない。一実施形態では、第１の装着リンク８１７はその一端で装着される、すなわち、メインフレーム１００の左側部分１００Ｌで取り外しできないように取り付けられる。装着位置は左側制限端８０１'であり得る。第２の装着リンク８１７'はその一端で装着される、すなわち、メインフレーム１００の右側部分１００Ｒで取り外しできないように取り付けられる。装着位置は右側制限端８０１であり得る。第１の装着リンク８１７および第２の装着リンク８１７'の他端は、メインフレーム１００の各部に装着されない。つまり、第１の装着リンク８１７は、メインフレーム１００の右側部分１００Ｒに摺動でき、第２の装着リンク８１７'はメインフレーム１００の左側部分１００Ｌに摺動できる。このような配置は有益になり得る。なぜなら装着リンク８１７および８１７'ならびにメインフレーム１００の各部は調節される度に対称になるからである。簡単に言えば、第１の装着リンク８１７とメインフレーム１００の右側部分１００Ｒとの間の距離ｄの摺動は、第２の装着サイド８１７'とメインフレーム１００の左側部分１００Ｌとの間の同距離ｄの摺動を作り出すことができる。
【０１９１】
第１の装着リンク８１７は、メインフレーム１００の右側部分１００Ｒに対して、最大延長位置８１１と最小延長位置８１３との間を摺動できる。第１の装着リンク８１７の非装着端が最大延長位置８１１に位置決めされる場合、メインフレーム１００の最大延長が実現される、すなわち、右側制限端８０１と左側制限端８０１'との間の最大距離が実現する。一方、第１の装着リンク８１７の非装着端が最小延長位置８１３に位置決めされる場合、メインフレーム１００の最小延長が実現される、すなわち、右側制限端８０１と左側制限端８０１'との間の最小距離が実現する。第１の装着リンク８１７の非装着端は、最大延長位置８１１と最小延長位置８１３間のあらゆる位置に位置決めすることができる。
【０１９２】
同様に、第２の装着リンク８１７'は、メインフレーム１００の右側部分１００Ｒに対して、最大延長位置８１１'と最小延長位置８１３'との間を摺動できる。第２の装着リンク８１７'の非装着端が最大延長位置８１１'に位置決めされる場合、メインフレーム１００の最大延長が実現される、すなわち、右側制限端８０１と左側制限端８０１'との間の最大距離が実現する。一方、第２の装着リンク８１７'の非装着端が最小延長位置８１３'に位置決めされる場合、メインフレーム１００の最小延長が実現される、すなわち、右側制限端８０１と左側制限端８０１'との間の最小距離が実現する。第２の装着リンク８１７'の非装着端は、最大延長位置８１１'と最小延長位置８１３'間のあらゆる位置に位置決めすることができる。
【０１９３】
調節要素８１０はさらに、少なくとも１つのラッチ８２、好ましくは複数のラッチ８２を含み得る。ラッチ８２は、延長の様々な基準位置を定義することができる。ラッチ８２は、延長要素８１５からの突起要素であり得て、メインフレーム１００の内面にある各孔に嵌められる。別の実施形態では、ラッチ８２は、メインフレーム１００の内面の構造体からの突起要素であり得て、延長要素８１５の外面にある各孔に嵌められる。つまり、ラッチ８２のセットおよび孔は、延長要素８１５とメインフレーム１００との間の接触面にあり得る。好ましい平衡位置で、各ラッチ８２は孔に挿入される。こうすることで、メインフレーム１００の長さをより確実に変える、すなわち、メインフレーム１００の長さを変えるのに必要な最小の力を高める。つまり、延長部８１５およびメインフレーム１００は、共にしっかりと接触を続けることができる。外力（すなわち、ユーザがメインフレーム１００の左側部分および右側部分を引き伸ばしたり、またはくっつけたりする）の影響を受けて、ラッチ８２は、その外力の作用が止むまで、嵌まっていた孔から押し出され得て、隣接する孔に嵌まり、孔が１つずつ変わり得る。外力が止むと、新しい平衡位置が達成され、各ラッチ８２はその時点で新しい孔に嵌まる。同時に、メインフレーム１００の長さおよびしたがってミュージックカラー１０の形状はそれに応じて調節される。メインフレームの長さを変えるのに必要な最小の力は、少なくとも５Ｎから１０Ｎ（ニュートン）であり得る。
【０１９４】
いくつかの実施形態では、形状調節要素８１０は蝶番（あらゆる図で図示なし）のように構成することができる。蝶番は、形状調節要素によって接合された部分間の角度を調節するように構成することができる。例えば、ミュージックカラー１０を着用するユーザの人に対してミュージックカラー１０をきつく締め付け過ぎた場合、または、ミュージックカラー１０を首周りにきつく締め付けないようにしてほしい人の場合に、次いでユーザはメインフレーム１００に位置する蝶番を開くことができる。逆にミュージックカラー１０を首の周りにきつく締め付けるためには、反対のことをしてもよい。一実施形態では、ミュージックカラー１０は、メインフレーム１００の２つの部分を接続する１つの蝶番だけを含み得る。このような実施形態では、蝶番は、１２０°、好ましくは少なくとも１８０°および最大でも２４０°の角度で首を包囲するようにミュージックカラーを調節するように構成される。別の実施形態では、ミュージックカラー１０は、メインフレームの左側部分および右側部分を互いに接続し、および／またはメインフレーム１００を左側振動部１０１と接続し、および／またはメインフレーム１００を右側振動部１０２と接続する複数の蝶番を含み得る。さらに、蝶番は、ミュージックカラー１０の角度を調節する少なくとも１つの基準位置を画定することができる少なくとも１つのラッチを含み得る。
【０１９５】
図５は、摺動機構８６０の上面図を示す。摺動機構８６０は、メインフレーム１００を左側振動部１０１および右側振動部１０２と接合するように構成することができる。すなわち、ミュージックカラー１０は２つの摺動機構８６０を含むことができ、第１の摺動機構８６０は左側振動部１０１をメインフレーム１００と接合するように構成することができ、第２の摺動機構８６０は右側振動部１０２をメインフレーム１００と接続するように構成することができる。
【０１９６】
摺動機構８６０は、左側振動部１０１（右側振動部１０２）の延長部がメインフレーム１００の内側に摺動できるように構成することができる。メインフレーム１００は中空形状を含み得て、つまり、中空形状の内側部分に孔を含み得る。摺動機構８６０は、３０ｍｍから１００ｍｍ、好ましくは少なくとも４０ｍｍ、または最大でも５０ｍｍの範囲で左側振動部１０１（右側振動部１０２）間の延長を実現するように構成することができる。
【０１９７】
ここで図６ａ、図６ｂおよび図６ｃを参照すると、ミュージックカラー１０の別の実施形態が示される。図６ａ、図６ｂおよび図６ｃ（および添付図面の図全体）において、類似の参照表示は類似の構造体を示す。さらに、図１から図５までを併せた上記のいくつかの機能および特徴はさらに、図６ａ、図６ｂおよび図６ｃで示される実施形態でも利用される。説明を分かりやすくするために、以下では、図６ａ、図６ｂおよび図６ｃで示された実施形態における追加機能だけをより詳細に説明することができる。
【０１９８】
図６ａ、図６ｂおよび図６ｃで示される実施形態はさらに、カラーブリッジの実施形態と呼ぶこともできる。前の図に記載された実施形態と同様、図６ａ、図６ｂおよび図６ｃのカラーブリッジの実施形態はメインフレーム１００を含む。メインフレーム１００は２つの部分、メインフレーム１００の左側部分１００Ｌと、メインフレーム１００の右側部分１００Ｒと、を含むことができる。メインフレーム１００の左側部分１００Ｌおよび右側部分１００Ｒは、形状調節要素８１０（より詳細には図４参照）によって接合することができる。さらに、ミュージックカラー１０のカラーブリッジの実施形態は、左側振動部１０１および右側振動部１０２（例えば図１を参照）を含むことができる。左側振動部１０１は、摺動機構８６０によってメインフレーム１００、より詳細にはメインフレーム１００の左側部分１００Ｌと接合することができる。さらに、右側振動部１０２は、別の摺動機構８６０によってメインフレーム１００、より詳細にはメインフレーム１００の右側部分１００Ｒと接合することができる。さらに、図５を参照すると、摺動機構の詳細を見つけることができる。ミュージックカラー１０のカラーブリッジの実施形態はさらに、少なくとも２つの振動パッド２０、好ましくは４つの振動パッド２０を含むことができる。振動パッド２０の位置は、例えば図２ａおよび図２ｂの実施形態で図示および記載することができる。すなわち、いくつかの実施形態では、ミュージックカラー１０は、後方右側振動パッド２０がミュージックカラーを着用した人の僧帽筋の上部線維の右側部分を含む軟組織と接触するように構成することができる。いくつかの実施形態では、ミュージックカラー１０は、前方左側振動パッド２０が大胸筋の左側部分を含む左側鎖骨の下方の軟組織と接触できるように構成することができる。いくつかの実施形態では、ミュージックカラー１０は、前方右側振動パッド２０が大胸筋の右側部分を含む右側鎖骨の下方の軟組織と接触できるように構成することができる。このようにミュージックカラー１０、より具体的にはミュージックカラーの振動パッドをミュージックカラーを着用した人の体に位置決めすることは、人体の軟組織を通る振動感覚を高めることができるという点で有益になり得る。
【０１９９】
さらに、図６ａ、図６ｂおよび図６ｃで示されるミュージックカラー１０の実施形態は、増幅器モジュール３０と、有線コネクタ７０と、無線コネクタ４０と、音量制御器６０（低音制御器６０とも呼ばれる）と、バッテリ５０と、含むことができる。
【０２００】
さらに、ミュージックカラー１０のカラーブリッジの実施形態はさらに、電源ボタン８０を含み得る。電源ボタン８０は、ミュージックカラー１０の電源を入れるおよび電源を切るのうち少なくとも１つを行うように構成することができる。例えば、ミュージックカラー１０の電源を切ったとき、電源ボタン８０の動作（例えば電源ボタン８０を押すまたは電源ボタン８０に触れる）を行うことでミュージックカラー１０に電源を入れることができる。また、ミュージックカラー１０に電源を入れたとき、電源ボタン８０の動作（例えば電源ボタン８０を押すまたは電源ボタン８０に触れる）を行うと、ミュージックカラー１０の電源を切ることができる。
【０２０１】
さらに、ミュージックカラー１０のカラーブリッジの実施形態は、バランス制御ボタン９０を含み得る。バランス制御ボタン９０は、ミュージックカラー１０の各振動パッド２０から入ってくる振動の強度を調節するように構成することができる。いくつかの実施形態では、バランス制御ボタン９０は、横方向（すなわち左右）の強度および／または後方から前方の強度を調節することができる。つまり、バランス制御ボタン９０は、ミュージックカラー１０の左側に位置決めされた振動パッド２０がミュージックカラー１０の右側に位置決めされた振動パッド２０と比べてより強い振動（すなわちより高振幅の振動）を作り出すように、振動の強度を調節することができる。また反対に、バランス制御ボタン９０は、ミュージックカラー１０の右側に位置決めされた振動パッド２０がミュージックカラー１０の左側に位置決めされた振動パッド２０と比べてより強い振動（すなわちより高振幅の振動）を作り出すように、振動の強度を調節することができる。後方から前方の振動の強度を調節するのに同様の例示がなされ得る。バランス制御ボタン９０はさらに、全ての（または少なくともいくつかの）振動パッド２０が同じ強度の振動を作り出すように、振動の強度のバランスを保つことができる。
【０２０２】
さらに、図６ａ、図６ｂおよび図６ｃで示されるミュージックカラー１０のカラーブリッジの実施形態は、カラーブリッジ機能を含む。カラーブリッジ機能は図６ｂおよび図６ｃでより詳細に示されており、図６ｂおよび図６ｃは、ミュージックカラー１０の振動部１０１および１０２（すなわち、左側振動部１０１および右側振動部１０２）のうち１つの２つの異なる実施形態の側面図を示す。ミュージックカラー１０のカラーブリッジの実施形態のカラーブリッジ機能は、鎖骨をまたぐことによってミュージックカラー１０が鎖骨２０５（すなわち鎖骨２０５）と接触しないようにできる。つまり、振動部１０１および１０２は、細長部１１０と、振動パッド２０を装着するように構成された装着部１２０と、を含み得る。いくつかの実施形態では、装着部１２０、および装着部１２０に装着される振動パッド２０は、細長部１１０より厚くできる。いくつかの実施形態では、装着部１２０それ自体が細長部１１０より厚くできる。いくつかの実施形態では、装着部１２０から細長部１１０までの遷移は突然遷移であり得て、つまり、遷移は垂直線（すなわち細長部１１０と垂直）であり得る。いくつかの他の実施形態では、すなわち図６ｂおよび図６ｃで示される一実施形態などでは、装着部１２０から細長部１１０までの遷移は勾配を含む、すなわち、遷移と細長部１１０との間の角度は少なくとも２０°および最大でも９０°、好ましくは少なくとも４５°および最大でも７５°、例えば６０°であり得る。遷移と細長部１１０との間の角度が０°にあるとき、次いで装着部１２０および細長部１１０は同じ厚さを含むことが理解できよう。
【０２０３】
好ましい配置では、すなわち図２ａおよび図２ｂで示される配置などでは、振動パッド２０を含む装着部１２０は、人体の鎖骨２０５（図２ａおよび図２ｂ参照）の下方の軟組織と接触する。図６ａ、図６ｂおよび図６ｃで示されるミュージックカラー１０のカラーブリッジの実施形態では、振動パッド２０を備える装着部１２０が細長部１１０より厚いため、この厚さにより細長部１１０は鎖骨２０５をまたぐことができ、その結果、鎖骨２０５（すなわち鎖骨２０５）と接触しないようにできる。簡単に言えば、カラーブリッジの実施形態のミュージックカラー１０は、ミュージックカラー１０のユーザの人体の肩領域内、および鎖骨２０５の下方の軟組織と接触することができる。例えば、メインフレーム１００は人体の肩領域内と接触し、装着部１２０は大胸筋と接触し、細長部は鎖骨２０５を（上記の接触位置を支持体として利用した）「またぐ」ものとして存在するため、鎖骨２０５との接触が回避される。
【０２０４】
さらに、ミュージックカラーのカラーブリッジの実施形態は、図６ａ、図６ｂおよび図６ｃで示されたものなど実質的に直線の細長部１１０を含み得る振動部１０１および１０２、および／または湾曲形状すなわち円弧状の細長部を含み得る振動パッド１０１および１０２で実現できる。すなわち、いくつかの実施形態では、細長部１１０はまっすぐな形状を含むように構成することができる、つまり、図６ｂで示された図などの側面図では、細長部１１０は直線であり得る。いくつかの他の実施形態では、細長部１１０は、湾曲であり得て、つまり、図６ｃで示された図などの側面図において細長部１１０が直線ではなく弧状になるような円弧状を含み得る。いくつかの実施形態では、細長部１１０は、少なくとも２００ｍｍおよび最大でも８００ｍｍの曲率半径を含み得る。簡単に言えば、このような実施形態では、細長部の円弧は、半径２００ｍｍから８００ｍｍの範囲の円の一部であり得る。細長部の円弧はさらに、カラーブリッジの実施形態のカラーブリッジ機能を促進する場合がある。つまり、ユーザがミュージックカラー１０を着用する場合、細長部１１０は、ユーザの鎖骨２０５をまたぐことによってユーザの鎖骨２０５との接触を低減または回避するように構成することができる。細長部１１０の円弧状はさらに、鎖骨２０５と細長部１１０との間の距離を広げることによってこの接触回避をしやすくできる。例えば、細長部の円弧は、鎖骨の逆方向に向くことができ、細長部１１０およびしたがって振動部１０１および１０２、およびしたがってミュージックカラー１０が鎖骨２０５をまたぐことができるように構成することができる。
【０２０５】
ここで図７を参照すると、ミュージックカラー１０の別の実施形態が図示される。図７では、ミュージックカラー１０のカラーブリッジの実施形態が示される。図６ａ、図６ｂおよび図６ｃで示されたミュージックカラー１０の実施形態と、図７で示されたミュージックカラー１０の実施形態との違いは、メインフレーム１００の部分（すなわち、左側部分１００Ｌおよび右側部分１００Ｒ）の接合方法である。図６ａ、図６ｂおよび図６ｃでは、形状調節要素８１０が使用される。図７では、その形状調節要素の代用として可撓性材料８７０が使用される。可撓性材料８７０はさらに、図６ａ、図６ｂおよび図６ｃ、または図７で示された実施形態にもかかわらず、例えば図１から図５で示された実施形態など、その他の実施形態のミュージックカラーと共に使用することができることに留意されたい。
【０２０６】
可撓性延長部８７０は、メインフレーム１００の左側部分１００Ｌおよび右側部分１００Ｒ間で可撓性接合を作り出すように構成することができる。可撓性延長部８７０は拡張することができるため、メインフレーム１００の左側部分１００Ｌおよび右側部分１００Ｒ間の距離を調節することができる。可撓性延長部８７０はさらにねじ曲げることもできるため、メインフレーム１００の左側部分１００Ｌおよび右側部分１００Ｒ間でねじ曲げることができる。可撓性延長部８７０は、ゴム材料などの可撓性材料または可撓性プラスチック材料を含み得る。
【０２０７】
さらに、可撓性延長部８７０は、上部（すなわちミュージックカラー１０のユーザの頭部との接触を作り出すことができる側）に円弧状を含み得る。頭部と可撓性延長部８７０間でより快適な接触を作り出すために、またはいくつかの実施形態では、完全に接触しないようにするために、可撓性延長部８７０の円弧を設ける場合がある。可撓性延長部８７０の円弧は、ミュージックカラー１０のユーザが頭部を後ろにそらせる、または不意に頭部を後ろにそらせる場合に特に有益になる。この円弧は、頭部と可撓性延長部８７０間の激しい接触を回避する、または少なくともある程度接触を和らげることができる。
【０２０８】
振動パッド２０と人体との間でより望ましい接触、およびよりしっかりした接触を作り出すために、振動パッド２０はさらに接触プレート３００を含み得る。接触プレート３００は、振動パッド２０のコイルなど、振動パッド２０の移動部分に取り付けられる。したがって、接触プレート３００は同様に振動することもできる。このような実施形態では、振動パッド２０は、接触プレート３００を介して人体と接触することができる。すなわち、人がミュージックカラー１０を適切に着用する場合に接触プレート３００が振動パッド２０と人体との間に存在できるように、接触プレート３００を振動パッド２０に取り付ける。
【０２０９】
図８ａ、図８ｂおよび図８ｃは、第２の凸状面３５０を含む接触プレート３００の３つの異なる図を示す。図８ａは、第２の凸状面３５０を含む接触プレート３００の断面図を示す。図８ｂは、第２の凸状面３５０を含む接触プレート３００の上面図を示す。図８ｃは、第２の凸状面３５０を含む接触プレート３００の側面図を示す。図８ａ、図８ｂおよび図８ｃで示されるように、第２の凸状面３５０を含む接触プレート３００はさらに、凸状接触プレート３００とも呼ぶことができる。
【０２１０】
凸状接触プレート３００は、直径３０ｍｍから５５ｍｍの範囲の円形の外形を含み得る。すなわち、図８ｂで示される図などの上面図では、接触プレート３００の形状は円形である。別の実施形態では、凸状接触プレートは、直径３０ｍｍから５５ｍｍの範囲の楕円の外形（あらゆる図で図示せず）を含み得る。すなわち、上面図では、接触プレート３００の形状は楕円である。
【０２１１】
凸状接触プレート３００は、第１の面３１０を含むことができる。第１の面３１０は、好ましくは粘着によって凸状接触プレート３００を振動パッド２０に取り付けるように構成することができる。
【０２１２】
さらに、凸状接触プレート３００は、凸状接触プレート３００の部分に人体と接触する第２の凸状面３５０を含む。すなわち、図８ｃで示される図などの側面図では、凸状接触プレート３００の高さは、凸状接触プレート３００の外側部分の低い位置から凸状接触プレート３００の中心に向かって高い位置に遷移する。例示的な実施形態では、この遷移は線形遷移であるため、孔３２０がその中心軸の中にある全体的に円錐台形状を作り出すことができる。別の例示的な実施形態では、この遷移は方形遷移であるため、孔３２０がその中心軸の中にある全体的に切頭球体構造または切頭楕円構造を作り出すことができる。凸状接触プレート３００の高さは２ｍｍから６ｍｍの範囲であり得る。
【０２１３】
言い換えれば、凸状接触プレート３００は、第１の面３１０および第２の凸状面３５０を含み得る。参照システムにするために、第１の面３１０は第２の面３５０よりも低い位置（または下方）にあると考えられる。第１の面３１０の３つの最下部を通る平面は設置基準面を画定でき、設置基準面の各位置の高さはゼロである。凸状接触プレート３００の高さは、第２の凸状面３５０の位置から垂直平面までの設置基準面に垂直である部分の長さとして画定できる。凸状接触プレート３００の高さは２ｍｍから６ｍｍの範囲であり得る。さらに、凸状接触プレート３００の厚さは、線に位置しており、設置基準面に垂直である２つの地点間の距離として、２つの地点のうち１つの地点が第１の面３１０に位置し、もう１つの地点が第２の凸状面３５０に位置するように画定できる。さらに、凸状接触プレートの中心軸は、凸状接触プレート３００の中心を貫通し、設置基準面に垂直である線であり得る。中心軸からの一地点の距離は、中心軸に垂直であり、その一地点から中心軸までの部分の長さとして画定できる。
【０２１４】
全体的に、一連の地点および中心軸が１つの平面にだけ位置するようにあらゆる一連の地点が第２の凸状面３５０に位置する場合、中心軸までの距離が短い当該一連の地点内の地点は、中心軸までの距離が長い当該一連の地点内の地点と比べてより高い高さを有する。図８ａ、図８ｂおよび図８ｃで示される凸状接触プレートなど、凸状接触プレート３００のいくつかの特定の実施形態では、上部から見られる凸状接触プレート３００の形状は円状であり、中心軸までの距離が短くなるにつれて凸状接触プレート３００の高さが増す（すなわち凸状接触プレート３００の高さは中心軸が長くなる距離に反比例している）。
【０２１５】
いくつかの実施形態では、凸状接触プレート３００の厚さは一定であり得る。このような実施形態では、第１の面３１０および第２の面３５０は類似形状または同形状を含む。いくつかの他の実施形態では、第１の面３１０は平らであり得て、すなわち、第１の面３１０の全地点は設置基準面に位置する。このような実施形態では、同地点で測定される凸状接触プレート３００の厚さおよび高さは等しい。
【０２１６】
凸状接触プレート３００は少なくとも１つの孔３２０を含み得る。図８ａ、図８ｂおよび図８ｃの例示的な実施形態では、凸状接触プレート３００は、外円に対して同心である内円３２０によって示される１つの孔３２０を含む。少なくとも１つの孔３２０は第２の凸状面３５０内の至る所に位置決めできる。少なくとも１つの孔３２０は、個々の孔の面積またはその面積の合計が第２の凸状面３５０の面積の少なくとも２％、好ましくは少なくとも５％、および８％など最大でも１０％であるならば、あらゆる形状を有してもよい。孔３２０は、人体と凸状接触プレート３００間の接触面を換気することができるため、接触面における皮膚の発汗を回避することができるという点で、有益になり得る。さらに、孔３２０は、凸状接触プレート３００と振動パッド２０間のメインテナンスをしやすくできる。孔３２０が無ければ、凸状接触プレート３００と振動パッド２０間の閉じ込められた空気が振動による変動圧力を受ける可能性があり、変動圧力は凸状接触プレート３００と振動パッド２０間の接続を損なわせる可能性がある最高ピークに達し得る。このような孔３２０があれば、閉じ込められた空気の流入出が可能になるため、凸状接触プレート３００と振動パッド２０間の閉じ込められた空気の変動圧力が超最高ピークに達しないようにすることが可能となる。
【０２１７】
図９ａ、図９ｂ、図９ｃおよび図９ｄは、第２の凹状面３７０を含む接触プレート３００の４つの異なる図を示す。図９ａは、第２の凹状面３７０を含む接触プレート３００の断面図を示す。図９ｂは、第２の凹状面３７０を含む接触プレート３００の上面図を示す。図９ｃは、第２の凹状面３７０を含む接触プレート３００の側面図を示す。さらに、図９ｄは、凹状接触プレート３００の好ましい実施形態の相図を示す。図９ａ、図９ｂ、図９ｃおよび図９ｄで示されるように、第２の凹状面３７０を含む接触プレート３００はさらに、凹状接触プレート３００とも呼ぶことができる。
【０２１８】
凹状接触プレート３００は、直径３０ｍｍから５５ｍｍ範囲の円形の外形を含み得る。すなわち、図９ｂで示される図などの上面図では、凹状接触プレート３００の形状は円形である。別の実施形態では、凸状接触プレートは、直径３０ｍｍから５５ｍｍ範囲の楕円の外形を含み得る。すなわち、図９ｂで示される図などの上面図では、凹接触プレート３００の形状は楕円である。
【０２１９】
凹状接触プレート３００は、第１の面３１０を含むことができる。第１の面３１０は、好ましくは粘着によって凹状接触プレート３００を振動パッド２０に取り付けるように構成することができる。
【０２２０】
さらに、凹状接触プレート３００は、凹状接触プレート３００の部分に人体と接触する第２の凹状面３７０を含む。すなわち、図９ｃで示される図などの少なくとも１つの側面図では、凹状接触プレート３００の高さは、凹状接触プレート３００の外側部分の高い位置から凹状接触プレート３００の中心に向かって低い位置に遷移する。ただし、少なくとも１つの断面図（または側面図）が存在し、凹状接触プレート３０の高さは一定である。凹状接触プレート３００の高さは２ｍｍから６ｍｍの範囲であり得る。
【０２２１】
言い換えれば、凹状接触プレート３００は、第１の面３１０および第２の凹状面３７０を含み得る。参照システムにするために、第１の面３１０は第２の面３７０よりも低い位置（または下方）にあると考えられる。第１の面３１０の３つの最下部を通る平面は設置基準面を画定でき、設置基準面の各位置の高さはゼロである。凹状接触プレート３００の高さは、第２の凹状面３７０の位置から垂直平面までの設置基準面に垂直である部分の長さとして画定できる。凹状接触プレート３００の高さは２ｍｍから６ｍｍの範囲であり得る。さらに、凹状接触プレート３００の厚さは、線に位置しており、設置基準面に垂直である２つの地点間の距離として、２つの地点のうち１つの地点が第１の面３１０に位置し、もう１つの地点が第２の凹状面３７０に位置するように画定できる。
【０２２２】
凹状接触プレート３００のいくつかの実施形態では、設置基準面に平行であり、第２の凹状面を備える全平面間の交点が円弧状になるように、当該設置基準面に垂直である少なくとも１つの平面が存在する。このような実施形態では、第２の凹状面は、円柱の内形に類似する形状を含み得る。いくつかの他の実施形態では、当該交点は、基部なし三角形（すなわち、「Ｖ」字型）であり得る。いくつかの他の実施形態では、当該交点は台形（不等辺四辺形とも呼ばれる）、好ましくは等脚台形であり得て、基部が長くなく、より短い基部が設置基準面に最も近接する。
【０２２３】
さらに、当該設置基準面に平行であり、第２の凹状面を備える全平面間の交点が直線部分、好ましくは設置基準面に平行になるように、設置基準面に垂直である少なくとも１つの平面が存在する。
【０２２４】
凹状接触プレート３００は少なくとも１つの孔３２０を含み得る。図９ａ、図９ｂ、図９ｃおよび図９ｄの例示的な実施形態では、凹状接触プレート３００は、外円に対して同心である内円３２０によって示される１つの孔３２０を含む。少なくとも１つの孔３２０は第２の凹状面３７０内の至る所に位置決めできる。少なくとも１つの孔３２０は、個々の孔の面積またはその面積の合計が第２の凹状面３７０の面積の最大でも少なくとも２％、好ましくは少なくとも５％、および８％など最大でも１０％あるならば、あらゆる形状を有し得る。孔３２０は、人体と凹状接触プレート３００間の接触面を換気することができるため、接触面における皮膚の汗を飛ばすことができるという点で、有益になり得る。さらに、孔３２０は、凹状接触プレート３００と振動パッド２０間のメインテナンスをしやすくできる。孔３２０が無ければ、凹状接触プレート３００と振動パッド２０間の閉じ込められた空気が振動による変動圧力を受ける可能性があり、変動圧力は凹状接触プレート３００と振動パッド２０間の接続を損なわせる可能性がある最高ピークに達し得る。このような孔３２０があれば、閉じ込められた空気の流入出が可能になるため、凹状接触プレート３００と振動パッド２０間の閉じ込められた空気の変動圧力が超最高ピークに達しないようにすることが可能となる。
【０２２５】
好ましい実施形態では、後方振動パッド２０（すなわち、メインフレーム１００内に位置する人の首の後部と接触する振動パッド２０）が凹状接触プレート３００と接合される。首の後部は凸状を有しているため、凹状接触プレート３００を後方振動パッド２０に使用することは、凹状接触プレートを首によりしっかりと置くことができるという点で有益である。同時に、このような実施形態では、凹状接触プレート３００は首の後部とのより大きな接触面を作り出すことができる。
【０２２６】
好ましい実施形態では、前方振動パッド２０（すなわち、左側部分１０１および右側部分１０２に位置する振動パッド２０）が凸状接触プレート３００と接合される。凸状接触プレート３００は、人体との接触面が角度に依存しなくなる可能性があるという点で有益になり得る。すなわち、凸状接触プレート３００と人の胸部との間の接触面は、前方振動パッド２０が人の胸部に傾斜する影響を大きく受けない。さらに、凸状接触プレート３００の凸形状は、ミュージックカラー１０を着用した人の胸部形状により適合しやすくなる場合がある。
【０２２７】
一実施形態では、振動パッド２０は独立制御できる。すなわち、振動パッドには同じ電気信号が供給されるのではなく、異なる電気信号を供給することができる。つまり、各振動パッド２０は、それら自体にチャネルを備える。もっと簡単に言えば、各振動パッド２０は、それらの自体の一連のワイヤによって接続される。したがって、このような実施形態では、各振動パッド２０は独立制御できる。例えば、振動パッド２０は順次時計回り方向で動作する。様々な組み合わせを利用して異なる人体のサイズに、または異なる人体のサイズの組み合わせに振動を作り出すことができ、振動は多方向機能の触覚フィードバックを作り出すことができる。簡単に言えば、脳は、方向を有するような振動、またはある方向についていく振動を知覚するであろう。振動パッド２０が順次時計回り方向で動作する上記の例では、我々の脳は、時計回り方向フローを有するような振動を知覚するであろう。このような効果は、より望ましいユーザエクスペリエンスを作り出すことができる。
【０２２８】
別の実施形態では、ミュージックカラー１０と接続される装置で実行するソフトウェアによって振動の順序を制御できる。すなわち、ミュージックカラー１０を着用した人は、ソフトウェアプログラムを利用して、振動パッド２０を動作させる一定の順序および組み合わせを定義することができる。このような機能はマッサージ用に使用できる。
【図１】
2020537378.tif 000003
【図２ａ】
2020537378.tif 000004
【図２ｂ】
2020537378.tif 000005
【図３】
2020537378.tif 000006
【図４】
2020537378.tif 000007
【図５】
2020537378.tif 000008
【図６ａ】
2020537378.tif 000009
【図６ｂ】
2020537378.tif 000010
【図６ｃ】
2020537378.tif 000011
【図７】
2020537378.tif 000012
【図８】
2020537378.tif 000013
【図９ａ】
2020537378.tif 000014
【図９ｂ】
2020537378.tif 000015
【図９ｃ】
2020537378.tif 000016
【図９ｄ】
2020537378.tif 000017
【図１０】
2020537378.tif 000018
【国際調査報告】
2020537378.tif 000019
2020537378.tif 000020
2020537378.tif 000021